(57)【要約】【課題】改善された液体吐出システム通信のシステム及び方法を開示する。【解決手段】液体吐出システムの複数の構成要素の間で制御データを通信する一方法例では、液体吐出システムの第１の構成要素のコントローラーが、複数の構成要素に関連する複合コントローラーに制御データメッセージをパブリッシュする。制御データメッセージの分類に基づき、第２の構成要素が、制御データメッセージに対するサブスクライバーであると判断される。そして、複合コントローラーは、第２の構成要素のコントローラーに制御データメッセージを送信する。【選択図】図３
2021527245.tif 000002
【特許請求の範囲】
【請求項１】
液体吐出システムの複数の構成要素の間で制御データを通信する方法であって、
前記液体吐出システムの第１の構成要素のコントローラーにより、該液体吐出システムに関連する複合コントローラーに制御データメッセージをパブリッシュすることと、
前記制御データメッセージの分類に基づき、前記液体吐出システムの第２の構成要素が前記制御データメッセージに対するサブスクライバーであると判断することと、
前記複合コントローラーにより、前記液体吐出システムの前記第２の構成要素の前記コントローラーに前記制御データメッセージを送信することと、
を含む、方法。
【請求項２】
前記液体吐出システムの前記第２の構成要素が前記制御データメッセージに対するサブスクライバーであると判断することは、さらに、該液体吐出システムの該第２の構成要素に関連するサブスクライバープロファイルに基づく、請求項１に記載の方法。
【請求項３】
前記サブスクライバープロファイルは、前記制御データメッセージの前記分類に関連する制御データメッセージに対するサブスクリプションを示す、請求項２に記載の方法。
【請求項４】
前記サブスクライバープロファイルは、前記液体吐出システムの選択された構成要素によってパブリッシュされた制御データメッセージに対するサブスクリプションを示す、請求項２に記載の方法。
【請求項５】
前記サブスクライバープロファイルは、閾値を超える、閾値未満である、閾値範囲内である、又は閾値範囲外である制御データを含む制御データメッセージに対するサブスクリプションを示す、請求項２に記載の方法。
【請求項６】
前記サブスクライバープロファイルは、少なくとも一部には、前記液体吐出システムの前記第２の構成要素の前記コントローラーによって定義される、請求項２に記載の方法。
【請求項７】
前記液体吐出システムの前記第１の構成要素の前記コントローラーは、第１のパブリッシャーサーバー及び第１のサブスクライバークライアントを備え、前記液体吐出システムの前記第２の構成要素の前記コントローラーは、第２のパブリッシャーサーバー及び第２のサブスクライバークライアントを備える、請求項１に記載の方法。
【請求項８】
前記第１のパブリッシャーサーバーは、前記複合コントローラーに前記制御データメッセージをパブリッシュする、請求項７に記載の方法。
【請求項９】
前記第２のサブスクライバークライアントは、前記制御データメッセージを受信する、請求項７に記載の方法。
【請求項１０】
前記制御データメッセージは、前記液体吐出システムの前記第１の構成要素の動作パラメーターに関する制御データを含み、該動作パラメーターは、温度設定値、温度制御ループ設定、制御ループタイプ、ポンプ速度、ポンプモーター速度、ヒーターデューティサイクル又はアプリケーターサイクル速度のうちの少なくとも１つを含む、請求項１に記載の方法。
【請求項１１】
前記制御データメッセージは、前記液体吐出システムの前記第１の構成要素によって測定されたデータに関する制御データを含み、前記第１の構成要素によって測定される前記データは、液体温度、液体流速、液体流量又は液圧のうちの少なくとも１つを含む、請求項１に記載の方法。
【請求項１２】
前記制御データメッセージは、前記第１の構成要素に対するハードウェア構成データに関する制御データを含み、該ハードウェア構成データは、ポンプの数、ポンプタイプ、液体保持容量、ホース出口の数、電力容量、制御インターフェースの数、ユニット重量、ユニット外部寸法、流れスループット又は溶融速度のうちの少なくとも１つを含む、請求項１に記載の方法。
【請求項１３】
前記液体吐出システムの第３の構成要素が前記複合コントローラーを備える、請求項１に記載の方法。
【請求項１４】
前記第３の構成要素は制御パネルを備え、該制御パネルは、前記制御データメッセージに示されている前記制御データの少なくとも一部を表示するように構成される、請求項１３に記載の方法。
【請求項１５】
クラウドサーバーが前記複合コントローラーを備え、該クラウドサーバーは、前記液体吐出システムを収容している構内からリモートに位置する、請求項１に記載の方法。
【請求項１６】
計算装置により且つ前記複合コントローラーを介して、前記制御データメッセージに示されている制御データにアクセスすること、
を更に含む、請求項１に記載の方法。
【請求項１７】
前記第１の構成要素は、少なくとも一部には、前記制御データメッセージの前記分類を定義する、請求項１に記載の方法。
【請求項１８】
前記制御データメッセージの前記分類は、構成要素のタイプ、動作パラメーターのタイプ、測定データのタイプ、又は該制御データメッセージに関連するハードウェア構成のタイプに基づく、請求項１に記載の方法。
【請求項１９】
前記液体吐出システムに関連するユーザーインターフェースを介して、該液体吐出システムの少なくとも１つの構成要素に関する制御データを表示すること、
を更に含む、請求項１に記載の方法。
【請求項２０】
前記ユーザーインターフェースは、該ユーザーインターフェースへのユーザー入力に基づいて前記液体吐出システムの少なくとも１つの動作パラメーターの調整を可能にするように構成される、請求項１９に記載の方法。
【請求項２１】
前記ユーザーインターフェースは、
前記第１の構成要素及び前記第２の構成要素に関連する生産ラインを表す生産ライン要素と、
それぞれが前記液体吐出システムの構成要素を表す、複数のシステム要素と、
を含む、請求項１９に記載の方法。
【請求項２２】
前記生産ライン要素及び前記複数のシステム要素は、前記複数のシステム要素によって表される前記生産ライン及び前記構成要素の関連する構内における相対位置を反映するように前記ユーザーインターフェースに配置される、請求項２１に記載の方法。
【請求項２３】
前記複数のシステム要素のうちの少なくとも１つのシステム要素は、前記表される構成要素の動作状態を示す動作状態要素、又は前記表される構成要素に関連する充填レベルを示す充填レベル要素を含む、請求項２１に記載の方法。
【請求項２４】
或る構成要素のアクティベーションにより、前記システム要素によって表される前記構成要素に関連する制御データを示すインターフェース要素が表示される、請求項２１に記載の方法。
【請求項２５】
前記複数の構成要素のうちの第３の構成要素が、前記ユーザーインターフェースを出力するように構成される、請求項１９に記載の方法。
【請求項２６】
前記第３の構成要素は制御パネルを備えるように構成され、該制御パネルは前記ユーザーインターフェースを出力するように構成される、請求項２５に記載の方法。
【請求項２７】
前記複数の液体吐出システムに関連する計算装置が、前記ユーザーインターフェースを出力するように構成される、請求項１９に記載の方法。
【請求項２８】
複合コントローラーと複数の液体吐出システムとを備える複合システムに、液体吐出システム構成要素を追加する方法であって、
前記複合コントローラーにより、前記液体吐出システム構成要素から信号を検出することと、
前記信号の検出に応答して、前記液体吐出システム構成要素に関連する構成データを要求することと、
前記液体吐出システム構成要素から前記構成データを受信することと、
前記構成データに基づき、前記複合コントローラーにより前記複合システムに前記液体吐出システム構成要素を追加することと、
を含む、方法。
【請求項２９】
前記液体吐出システム構成要素は、液体吐出システムのメルターユニットを含む、請求項２８に記載の方法。
【請求項３０】
前記液体吐出システム構成要素から前記構成データを受信することは、該液体吐出システム構成要素のコントローラーから該構成データを受信することを含む、請求項２８に記載の方法。
【請求項３１】
前記液体吐出システム構成要素によって生成される前記信号は、前記複合コントローラーに関連するネットワークを介して送信される、請求項２８に記載の方法。
【請求項３２】
前記複合コントローラーは、複数のシステム要素を含むユーザーインターフェースの出力をもたらすように構成され、前記複数のシステム要素の各システム要素は、前記複合システムの液体吐出システムを表す、請求項２８に記載の方法。
【請求項３３】
前記複合システムに前記液体吐出システム構成要素を追加することに応答して、前記ユーザーインターフェースにおいて該液体吐出システム構成要素を表すシステム要素を生成すること、
を更に含む、請求項３２に記載の方法。
【請求項３４】
前記方法は、
前記ユーザーインターフェースに前記液体吐出システム構成要素を表す前記システム要素を位置決めすること、
を更に含み、
前記複数のシステム要素と前記液体吐出システム構成要素を表す前記システム要素との前記ユーザーインターフェースにおける配置が、前記複数の液体吐出システムと前記液体吐出システム構成要素との構内における相対的位置決めを反映する、請求項３３に記載の方法。
【請求項３５】
前記液体吐出システム構成要素を表す前記システム要素を位置決めすることは、前記ユーザーインターフェースへのユーザー入力に基づく、請求項３４に記載の方法。
【請求項３６】
前記ユーザーインターフェースは、前記複合システムに関連する生産ラインを表す生産ライン要素を更に含む、請求項３４に記載の方法。
【請求項３７】
前記複数のシステム要素のうちの或るシステム要素のアクティベーションにより、該システム要素によって表される前記液体吐出システムに関連する制御データを示すインターフェース要素が表示される、請求項３２に記載の方法。
【請求項３８】
前記構成データは、前記液体吐出システム構成要素に対するハードウェア構成データを含み、該ハードウェア構成データは、ポンプの数、ポンプタイプ、液体保持容量、ホース出口の数、電力容量、制御インターフェースの数、ユニット重量、ユニット外部寸法、流れスループット又は溶融速度のうちの少なくとも１つを含む、請求項２８に記載の方法。
【請求項３９】
液体吐出システムの複数の構成要素を制御する装置であって、
ユーザーインターフェースを出力するように構成された画面であって、該ユーザーインターフェースは、前記複数の構成要素のうちの或る構成要素の選択に対して構成されたインターフェース要素と、選択された構成要素に関連する複数の同時に表示される制御タイルとを含む、画面と、
前記選択された構成要素から制御データを受信するように構成された通信インターフェースであって、前記制御データの少なくとも一部は前記複数の制御タイルを介して表示される、通信インターフェースと、
を備える、装置。
【請求項４０】
前記選択された構成要素はメルターユニットを含む、請求項３９に記載の装置。
【請求項４１】
構成要素の選択に対して構成された前記インターフェース要素は、前記複数の構成要素に対応する複数の構成要素タイルを含み、前記複数の構成要素のうちの或る構成要素の選択は、前記複数の構成要素タイルのうちの対応する構成要素タイルのアクティベーションを含む、請求項３９に記載の装置。
【請求項４２】
前記複数の構成要素タイルのうちの或る構成要素タイルが、前記対応する構成要素の運転モードを表示するように構成され、運転モードは、生産モード、セットアップモード及び保守モードのうちの少なくとも１つを含む、請求項４１に記載の装置。
【請求項４３】
前記複数の構成要素タイルのうちの或る構成要素タイルが、前記液体吐出システムに関連する生産ラインに対する前記対応する構成要素の位置を表示するように構成されている、請求項４１に記載の装置。
【請求項４４】
前記複数の構成要素タイルのうちの或る構成要素タイルが、前記対応する構成要素に関連する動作パラメーターの状態を表示するように構成されている、請求項４１に記載の装置。
【請求項４５】
前記選択された構成要素に対応する構成要素タイルのアクティベーションにより、該選択された構成要素に関連する前記複数の制御タイルが表示される、請求項４１に記載の装置。
【請求項４６】
前記選択された構成要素タイルに関連する前記複数の制御タイルの前記表示は、事前定義されたユーザー表示設定に基づく、請求項３９に記載の装置。
【請求項４７】
前記複数の制御タイルのうちの或る制御タイルの場所と該複数の制御タイルのうちの或る制御タイルのサイズとのうちの少なくとも一方は、前記事前定義されたユーザー表示設定に基づく、請求項４６に記載の装置。
【請求項４８】
前記ユーザーインターフェースは、前記複数の制御タイルのうちの或る制御タイルを該ユーザーインターフェース内の別の位置に移動するユーザー入力を受け取るように構成されている、請求項３９に記載の装置。
【請求項４９】
前記ユーザーインターフェースは、前記複数の制御タイルのうちの或る制御タイルを閉じるユーザー入力を受け取るように構成されている、請求項３９に記載の装置。
【請求項５０】
前記複数の制御タイルのうちの第１の制御タイルのアクティベーションにより、前記ユーザーインターフェースが、該アクティベートされた制御タイルに関連する第２の制御タイルを表示する、請求項３９に記載の装置。
【請求項５１】
前記第１の制御タイル及び前記第２の制御タイルは、前記液体吐出システムの共通の機能的態様に関連する、請求項５０に記載の装置。
【請求項５２】
前記液体吐出システムの機能的態様が、温度、ヒーター、ポンプ、ポンプモーター、ニードルストローク、吐出パターン、液体充填レベル、液圧及びメンテナンスのうちの少なくとも１つに関連する、請求項５１に記載の装置。
【請求項５３】
前記第１の制御タイルは、前記共通の機能的態様に関連する動作パラメーター状態を表示するように構成され、前記第２の制御タイルは、前記共通の機能的態様に関連する動作パラメーターを変更するユーザー入力を受け取るように構成されている、請求項５１に記載の装置。
【請求項５４】
前記第１の制御タイルは、前記共通の機能的態様に関連する複数のサブタイルを含み、該複数のサブタイルの各サブタイルは、動作状態パラメーターを表示する、請求項５１に記載の装置。
【請求項５５】
前記複数のサブタイルのうちの或るサブタイルのアクティベーションにより、前記第２の制御タイルが表示され、該第２の制御タイルは、前記アクティベートされたサブタイルに関連する、請求項５４に記載の装置。
【請求項５６】
前記複数のサブタイルは、前記液体吐出システムの１つ以上のポンプに関連する、請求項５５に記載の装置。
【請求項５７】
前記複数のサブタイルの各サブタイルは、前記１つ以上のポンプに関連するモーター速度設定値及び測定されたモーター速度を表示するように構成されている、請求項５６に記載の装置。
【請求項５８】
前記複数のサブタイルの各サブタイルは、前記液体吐出システムの対応する温度チャネルに関連する、請求項５５に記載の装置。
【請求項５９】
前記複数のサブタイルの各サブタイルは、前記対応する温度チャネルに関連する温度設定値及び測定温度を表示するように構成されている、請求項５８に記載の装置。
【請求項６０】
前記第１の制御タイルは、前記共通の機能的態様を示すように構成され、前記第２の制御タイルは、前記共通の機能的態様に関連する動作パラメーター状態を表示するように構成されている、請求項５１に記載の装置。
【請求項６１】
前記第２の制御タイルのアクティベーションにより、前記ユーザーインターフェースが前記共通の機能的態様に関連する第３の制御デバイスを表示し、該第３の制御デバイスは、前記共通の機能的態様に関連する動作パラメーターを変更するユーザー入力を受け取るように構成されている、請求項６０に記載の装置。
【請求項６２】
液体吐出システムを制御する方法であって、
少なくとも一部には前記液体吐出システムを制御するように構成された制御デバイスの、前記液体吐出システムの或る構成要素に対する場所を決定することと、
前記制御デバイスにより、前記液体吐出システムに関連する制御データを表示するように構成されたユーザーインターフェースを出力することと、
前記制御デバイスの前記場所に基づいて、前記ユーザーインターフェースを介する前記制御データの表示と、該ユーザーインターフェースを介する該制御データの変更とのうちの少なくとも一方を管理することと、
を含む、方法。
【請求項６３】
前記制御データの前記表示と該制御データの前記変更とのうちの少なくとも一方を管理することは、前記ユーザーインターフェースに前記制御データの第１の部分を表示することと、該ユーザーインターフェースにおける前記制御データの第２の部分の表示を阻止することとを含む、請求項６２に記載の方法。
【請求項６４】
前記制御データの前記表示と該制御データの前記変更とのうちの少なくとも一方を管理することは、前記ユーザーインターフェースに前記制御データを表示することと、該ユーザーインターフェースを介する前記制御データの変更を阻止することとを含む、請求項６２に記載の方法。
【請求項６５】
前記制御データの前記表示と該制御データの前記変更とのうちの少なくとも一方を管理することは、前記ユーザーインターフェースを介して、前記制御データの第１の部分を変更するユーザー入力を受け取ることと、前記制御データの第２の部分の変更を阻止することとを含む、請求項６２に記載の方法。
【請求項６６】
前記制御デバイスにより、前記液体吐出システムの前記構成要素に前記制御データの前記変更された第１の部分を送信すること、
を更に含む、請求項６５に記載の方法。
【請求項６７】
前記制御データの前記第１の部分は、前記液体吐出システムの前記構成要素の動作パラメーターを含む、請求項６６に記載の方法。
【請求項６８】
前記方法は、
前記制御デバイスが、前記液体吐出システムの前記構成要素から所定距離の範囲内にあると判断すること、
を更に含み、
前記制御データの前記表示と該制御データの前記変更とのうちの少なくとも一方を管理することは、さらに、前記制御デバイスが前記所定距離の範囲内にあると判断することに基づく、請求項６２に記載の方法。
【請求項６９】
前記方法は、
前記制御デバイスの前記場所に基づき、該制御デバイスが位置しているゾーンを決定すること、
を更に含み、
前記制御データの前記表示と該制御データの前記変更とのうちの少なくとも一方を管理することは、さらに、前記ゾーンに基づく、請求項６２に記載の方法。
【請求項７０】
前記ゾーンは、前記液体吐出システムの前記構成要素に中心を置く所定の円形ゾーンを含む、請求項６９に記載の方法。
【請求項７１】
前記方法は、
前記制御デバイスの前記場所に基づき、前記ユーザーインターフェースの動作モードを決定すること、
を更に含み、
前記制御データの前記表示と該制御データの前記変更とのうちの少なくとも一方を管理することは、さらに、前記動作モードに基づき、前記ユーザーインターフェースは、該動作モードの指示を表示するように構成される、請求項６２に記載の方法。
【請求項７２】
前記制御デバイスの前記場所は、前記液体吐出システムの前記構成要素に関連する無線ビーコンデバイスに基づいて決定される、請求項６２に記載の方法。
【請求項７３】
前記液体吐出システムの前記構成要素はメルターユニットを含み、前記無線ビーコンデバイスは、該メルターユニットに取り付けられる、請求項７２に記載の方法。
【請求項７４】
液体吐出システム用の制御システムであって、
ユーザーインターフェースを出力するように構成された制御デバイスであって、該ユーザーインターフェースは、前記液体吐出システムの或る構成要素に関連する制御データを表示するように構成されている、制御デバイスと、
前記制御デバイスと通信するように構成された無線ビーコンデバイスと、
を備え、
前記制御デバイスは、前記無線ビーコンデバイスに対する該制御デバイスの場所に基づき、前記ユーザーインターフェースを介する前記制御データの表示と、該ユーザーインターフェースを介する該制御データの変更とのうちの少なくとも一方を管理するように構成されている、制御システム。
【請求項７５】
前記制御デバイスは、さらに、
該制御デバイスの前記場所に基づき、前記ユーザーインターフェースに前記制御データの第１の部分を表示し、
該制御デバイスの前記場所に基づき、前記ユーザーインターフェースにおける前記制御データの第２の部分の表示を阻止する、
ように構成されている、請求項７４に記載の制御システム。
【請求項７６】
前記制御デバイスは、さらに、
該制御デバイスの前記場所に基づき、前記ユーザーインターフェースに前記制御データを表示し、
該制御デバイスの前記場所に基づき、前記ユーザーインターフェースを介する前記制御データの変更を阻止する、
ように構成されている、請求項７４に記載の制御システム。
【請求項７７】
前記制御デバイスは、さらに、
該制御デバイスの前記場所に基づき、前記ユーザーインターフェースを介して、前記制御データの第１の部分を変更するユーザー入力を受け取り、
該制御デバイスの前記場所に基づき、前記制御データの第２の部分の変更を阻止する、
ように構成されている、請求項７４に記載の制御システム。
【請求項７８】
前記制御デバイスは、さらに、
前記制御データの前記変更された第１の部分を前記液体吐出システムの前記構成要素に送信する、
ように構成されている、請求項７７に記載の制御システム。
【請求項７９】
前記制御データの前記第１の部分は、前記液体吐出システムの前記構成要素の動作パラメーターを含む、請求項７８に記載の制御システム。
【発明の詳細な説明】
【技術分野】
【０００１】
［関連出願の相互参照］
本出願は、２０１８年６月４日に出願された米国仮特許出願第６２／６８０，１６４号の出願日の利益を主張し、その開示内容は、ここに引用することにより本明細書の一部をなす。
【０００２】
本開示は、包括的には液体吐出に関し、より詳細には、改善された液体吐出システム通信のシステム及び方法に関する。
【背景技術】
【０００３】
液体吐出システムは、種々の用途で使用される。例えば、こうしたシステムは、使い捨て衛生製品の製造中にホットメルト接着剤を塗布する場合がある。別の例として、ホットメルト液体吐出システムは、食料及び飲料用の紙ベースの包装等、種々のタイプの包装を組み立てるために、ホットメルト接着剤を塗布する場合がある。こうした用途で使用されるホットメルト接着剤としては、湿気硬化型ホットメルトポリウレタン接着剤（「ホットメルトＰＵＲ」）を挙げることができ、これは、安定した面対面接合を形成しなければならない場合に使用されることが多い。他の従来のホットメルト接着剤は、木材、プラスチック、波形フィルム、紙、カートンストック、金属、硬質ポリ塩化ビニル（ＰＶＣ）、布、皮革等、種々の同種及び異種両方の材料を嵌合関係で合わせて固定する際に使用される場合がある。ホットメルト接着剤は、接着剤を溶融させて吐出した後に迅速に凝固させることが望ましい用途において特に有用である場合がある。
【０００４】
ホットメルト液体吐出システムの構成例では、固形形態又は半固形形態のホットメルト接着剤が、１つ以上のメルター又はメルターユニットに提供される。メルターは、固形又は半固形のホットメルト接着剤を溶融状態に達するまで加熱する。溶融したホットメルト接着剤は、その後、１つ以上のアプリケーター（アプリケーターモジュール、ディスペンサー等とも称する）に圧送することができる。それにより、アプリケーターは、溶融したホットメルト接着剤を所望の表面又は基材に、多くの場合は一続きのドット又は線として吐出する。しかしながら、限られた位置決め、タイミング及び量公差の範囲内で接着剤を塗布することは略常に困難である。例えば、吐出された接着剤の量が不十分である場合、接合が有効でなくなる可能性があり、一方で、接着剤の量が過剰である場合、材料が無駄になるだけでなく、接着剤が表面に塗布されると望ましくない流れがもたらされる可能性がある。
【発明の概要】
【発明が解決しようとする課題】
【０００５】
ホットメルト液体吐出システム内におけるメルター（複数の場合もある）の適切な動作は、必要な吐出結果を達成する際の１つの重要な要素である。例えば、ホットメルト接着剤の温度は、ホットメルト接着剤の粘度に影響を与える。そして、ホットメルト接着剤の粘度は、特に、ホットメルト接着剤が圧力で押し流される場合、各接着剤塗布中に吐出されるホットメルト接着剤の量に影響を与える。さらに、最適なメルターの性能を確実にするために、多数の動作パラメーター、設定、データ測定値、ハードウェア構成等を注意深く管理しなければならない。明らかに、これらの多くのパラメーターを有効に管理することは難題を提示する。
【０００６】
これらの難題を更に複雑にすることには、ホットメルト液体吐出システムは、多くの場合、複数のアプリケーターを含む生産ラインをサポートする複数のメルターを備え、又は、生産ラインは、それぞれ１つ以上のメルターを備える複数のホットメルト液体吐出システムによってサポートされる場合がある。さらに、工場又は生産施設には、同時に稼働している複数の生産ラインがある可能性があり、生産ラインはそれぞれ、別個のホットメルト液体吐出システムに関連し、ホットメルト液体吐出システムは、更に１つ以上のメルターを備える。
【０００７】
本開示では、これらの欠点及び他の欠点に対処する。
【課題を解決するための手段】
【０００８】
本明細書では、改善された液体吐出システム通信のシステム及び方法を開示する。液体吐出システムの複数の構成要素の間で制御データを通信する一方法例では、液体吐出システムの第１の構成要素のコントローラーが、複数の構成要素に関連する複合コントローラーに制御データメッセージをパブリッシュ（提供）する。制御データメッセージの分類に基づき、第２の構成要素が、制御データメッセージに対するサブスクライバーであると判断される。そして、複合コントローラーは、第２の構成要素のコントローラーに制御データメッセージを送信する。
【０００９】
複合コントローラーと複数の液体吐出システムとを備える複合システムに、液体吐出システム構成要素を追加する別の方法例では、複合コントローラーは、液体吐出システム構成要素から信号を検出する。この信号を検出することに応答して、液体吐出システム構成要素に関連する構成データが要求される。構成データは、液体吐出システム構成要素から受信される。構成データに基づき、複合コントローラーにより、複合システムに液体吐出システム構成要素が追加される。
【００１０】
装置例は、液体吐出システムの複数の構成要素を制御するように構成されている。本装置は、ユーザーインターフェースを出力するように構成された画面を備える。ユーザーインターフェースは、複数の構成要素のうちの或る構成要素の選択に対して構成されたインターフェース要素を含む。ユーザーインターフェースは、選択された構成要素に関連する複数の同時に表示される制御タイルを更に含む。本装置は、選択された構成要素から制御データを受信するように構成された通信インターフェースを更に備える。制御データの少なくとも一部は、複数の制御タイルを介して表示される。
【００１１】
液体吐出システムを制御する一方法例では、液体吐出システムの或る構成要素に対する制御デバイスの場所が決定される。制御デバイスは、少なくとも一部には、液体吐出システムを制御するように構成される。制御デバイスは、液体吐出システムに関連する制御データを表示するように構成されたユーザーインターフェースを出力する。制御デバイスの場所に基づいて、ユーザーインターフェースを介する制御データの表示と、ユーザーインターフェースを介する制御データの変更とのうちの少なくとも一方が管理される。
【００１２】
液体吐出システム用の制御システム例は、ユーザーインターフェースを出力するように構成された制御デバイスを備える。ユーザーインターフェースは、液体吐出システムの或る構成要素に関連する制御データを表示するように構成されている。制御システムは、制御デバイスと通信するように構成された無線ビーコンデバイスを更に備える。制御デバイスは、液体吐出システムの上記構成要素に対する制御デバイスの場所に基づき、ユーザーインターフェースを介する制御データの表示と、ユーザーインターフェースを介する制御データの変更とのうちの少なくとも一方を管理するように構成されている。
【００１３】
引用することにより本明細書の一部をなす添付の図面は、実施形態を示し、本明細書とともに、方法及びシステムの原理を説明するのに役立つ。
【図面の簡単な説明】
【００１４】
【図１】吐出システム例を示す図である。
【図２】複合システムの概略図例である。
【図３】別の複合システムの概略図例である。
【図４】ユーザーインターフェースの図例である。
【図５】方法フロー例の図である。
【図６】別の方法フローチャート例である。
【図７】複合システムの図例である。
【図８】メルターユニットの図例である。
【図９Ａ】ユーザーインターフェースの図例である。
【図９Ｂ】ユーザーインターフェースの図例である。
【図１０Ａ】ユーザーインターフェース要素の図例である。
【図１０Ｂ】ユーザーインターフェース要素の図例である。
【図１０Ｃ】ユーザーインターフェース要素の図例である。
【図１１Ａ】ユーザーインターフェース要素の図例である。
【図１１Ｂ】ユーザーインターフェース要素の図例である。
【図１１Ｃ】ユーザーインターフェース要素の図例である。
【図１１Ｄ】ユーザーインターフェース要素の図例である。
【図１１Ｅ】ユーザーインターフェース要素の図例である。
【図１２Ａ】ユーザーインターフェース要素の図例である。
【図１２Ｂ】ユーザーインターフェース要素の図例である。
【図１２Ｃ】ユーザーインターフェース要素の図例である。
【図１３Ａ】ユーザーインターフェース要素の図例である。
【図１３Ｂ】ユーザーインターフェース要素の図例である。
【図１３Ｃ】ユーザーインターフェース要素の図例である。
【図１４Ａ】ユーザーインターフェース要素の図例である。
【図１４Ｂ】ユーザーインターフェース要素の図例である。
【図１４Ｃ】ユーザーインターフェース要素の図例である。
【図１４Ｄ】ユーザーインターフェース要素の図例である。
【図１５Ａ】ユーザーインターフェース要素の図例である。
【図１５Ｂ】ユーザーインターフェース要素の図例である。
【図１５Ｃ】ユーザーインターフェース要素の図例である。
【図１６Ａ】ユーザーインターフェース要素の図例である。
【図１６Ｂ】ユーザーインターフェース要素の図例である。
【図１７Ａ】ユーザーインターフェース要素の図例である。
【図１７Ｂ】ユーザーインターフェース要素の図例である。
【図１７Ｃ】ユーザーインターフェース要素の図例である。
【図１８】地理空間複合システム構成の図例である。
【図１９Ａ】ユーザーインターフェース要素の図例である。
【図１９Ｂ】ユーザーインターフェース要素の図例である。
【発明を実施するための形態】
【００１５】
ここで、図面を参照して、本開示の態様について詳細に説明し、別段の定めがない限り、図面を通して同様の参照番号は同様の要素を指す。
【００１６】
本開示のシステム及び方法は、改善された液体吐出システム通信に関する。主にホットメルト接着剤について言及するが、本明細書に記載する技法(technique)は、非接着剤を含む任意の種類の液体に適用可能であり得る。
【００１７】
図１は、本明細書に記載する技法を実施することができる、例としての液体吐出システム１０（例えば、ホットメルト接着剤吐出システム又は他のタイプの液体吐出システム）を示す。液体吐出システム１０は、ペレット等、固形又は半固形接着剤２４ａを収容して溶融させる接着剤供給部２２と、接着剤供給部２２に接続されたマニホールド２６と、コントローラー２８と、ユーザーインターフェース２９とを備えるメルターユニット２０を備える。接着剤供給部２２は、特に、タンク式メルター、又はグリッドリザーバーメルター（格子状貯蔵溶融機）であり得る。接着剤供給部２２に蓄積された固形又は半固形接着剤２４ａは、溶融すると、液状接着剤２４に変化する。接着剤供給部２２は、側壁３０と、取外し可能カバー３１と、接着剤供給部２２内の接着剤２４ａ及び液状接着剤２４を溶融させ加熱する１つ以上の接着剤供給ヒーター３４を備えるベース３２とを備える。ベース３２に近接する接着剤供給部出口３６が、マニホールド２６の入口４０に接続する通路３８に結合されている。
【００１８】
（図示するような）縦型ピストンポンプ又は歯車ポンプ等の容積式ポンプ５８が、接着剤供給部２２からマニホールド２６内に液体接着剤２４を圧送するようにマニホールド２６に結合されており、マニホールドにおいて、液体接着剤２４は別個の流れに分けられる。ポンプモーター５９が、ポンプ５８を駆動する。ポンプ５８の（したがって、ポンプモーター５９の機能に応じた）動作により、接着剤は、圧力下でマニホールド２６及びアプリケーター４８、５０に供給される。こうした圧力は、接着剤吐出モジュール５４の１回のアプリケーターサイクル（ガンサイクルとも称する）で吐出される接着剤の量とともに、概して、マニホールド２６内に入り、マニホールド２６を通過し、及び／又はマニホールド２６から出る流量及び流速に影響を与える可能性がある。
【００１９】
マニホールド２６は、スペーサー４１によって接着剤供給部２２の側壁３０に取り付けられ、接着剤供給部２２のマニホールド２６からの断熱をもたらすのに十分な距離４２だけ接着剤供給部２２から間隔を空けて配置されている。マニホールド２６は、加熱されるホース４６を嵌め込むことができる複数の出口ポート４４を備え、ホース４６は、１つ以上の接着剤アプリケーター４８、５０に取り付けられて、アプリケーター４８、５０に液状接着剤２４を供給する。マニホールド２６はマニホールドヒーター５６を備えることができ、マニホールドヒーター５６は、接着剤供給ヒーター３４とは別個であり、コントローラー２８によって独立して制御することができる。いくつかの実施形態では、単一のヒーターを用いて接着剤供給部２２及びマニホールド２６を加熱することができる。図１は、マニホールド２６に物理的に近接した接着剤供給部２２を示しているが、接着剤の供給源がマニホールドとは物理的に離れた他の配置も可能である。こうした配置では、２つ以上のポンプを用いて、接着剤供給部２２から最終塗布点に向けて接着剤を移動させることができる。
【００２０】
マニホールド２６は、対応する加熱されたホース４６によってアプリケーター４８、５０に搬送される複数の流れストリームをもたらすことができる。ホース４６は、各ホース４６に関連するコードセット６２によってコントローラー２８に電気的に結合されている。アプリケーター４８、５０は、液状接着剤２４を、カートン、パッケージ又は他の物体等の製品に吐出／塗布するように構成された１つ以上の接着剤吐出モジュール５４を備える。接着剤吐出モジュール５４は、アプリケーターヒーター５３を有するアプリケーター本体５１に取り付けられ、フレーム５２に支持されている。液体吐出システム１０は、２つのアプリケーター４８、５０を備え、図１に示すようにメルターユニット２０の各側に１つのアプリケーターが位置しているが、液体吐出システム１０の他の実施態様は、異なる数のアプリケーター、吐出モジュール及び他の構成を用いることができる。例えば、アプリケーター４８、５０はそれぞれ、単一の接着剤吐出モジュール５４を備えるように構成することができ、又は、それぞれ、一対の接着剤吐出モジュール５４を備えるように構成することができる。アプリケーター４８、５０の接着剤吐出モジュール５４は、共通して監視し、制御し、共通の空気供給部によって作動させることができる。代替的に、アプリケーター４８、５０の接着剤吐出モジュール５４は、独立して監視し、制御し、別個の空気供給部によって作動させることができる。アプリケーター４８、５０及び／又は接着剤吐出モジュール５４は、アプリケーター又はディスペンサーと異なるように称することができる。
【００２１】
ポンプ５８は、接着剤供給部２２の外部に位置し、空気供給部６１から空気を受け取る空気圧レギュレーター７０に接続されている。より詳細には、空気圧レギュレーター７０は、メルターユニット２０に取り付けられるとともに、空気供給部６１に接続している。いくつかの実施態様では、ポンプ５８は、マニホールド２６に取り付けることができ、マニホールドヒーター５６によって加熱することができる。この構成により、より大きなタンク開口６０が可能になり、タンク容量が増大し、ポンプ５８を加熱するために必要な時間が短縮される。さらに、マニホールド２６に流量計８０を取り付けて、マニホールド２６を通過する接着剤の流量を測定することができる。流量計８０は、各センサーに関連するそれぞれのコード６３ａ、６３ｂによってコントローラー２８に電気的に結合されている一対のセンサーを備える。光センサー等の少なくとも１つの製品検出器９０もまた、コントローラー２８に電気的に結合されている。
【００２２】
メルターユニット２０はコントローラー２８を備える。コントローラー２８は、液体吐出システム１０のための電源及び電子制御部を収容している。コントローラー２８は、１つ以上のプロセッサと、１つ以上のプロセッサによって実行されると、本明細書に記載する様々な動作をコントローラー２８に実施させる命令を記憶するように構成されたメモリとを備えるように構成することができる。コントローラー２８は、液体吐出システム１０と、メルターユニット２０、アプリケーター４８、５０及びコントローラー２８自体を含む、液体吐出システム１０の構成要素とに関連する、様々なタイプのデータを管理するように構成することができる。こうしたデータを管理することは、データを記憶することと、（例えば、様々なセンサーによって測定された）データを取り込むことと、データを変更又は設定することと、他のメルターユニット２０又は液体吐出システム１０の他のコントローラー２８から同様のデータを受信することと、他のメルターユニット２０又は液体吐出システム１０の他のコントローラー２８に（例えば、複合コントローラー又はクラウドシステムを介して）データを提供することとを含むことができる。
【００２３】
コントローラー２８によって管理されるデータ（まとめて制御データと称する）は、動作パラメーター、測定データ及びハードウェア構成データを含むことができる。動作パラメーター例は、温度設定値、制御ループ設定（例えば、温度制御ループ）、制御ループタイプ、ポンプ速度、メルターデューティサイクル（又はその個々のヒーター）、アプリケーターサイクル速度、及びポンプ又はポンプモーター速度に関連することができる。測定データ例は、（メルターユニット２０、タンク２２、マニホールド２６、アプリケーター４８、５０及び加熱されたホース内の様々な箇所における液体温度を含む）液体温度、（例えば、マニホールド２６からの）液体流速、（例えば、マニホールド２６からの）液体流量及び液圧に関連することができる。ハードウェア構成データ例は、ポンプの数、ポンプ（複数の場合もある）のタイプ、タンク２２の保持容量、マニホールド２６のホース出口の数、電力容量、コントローラー２８との間の制御インターフェース、（例えば、メルターユニット２０の）重量、（例えば、メルターユニット２０の）外部寸法、メルターユニット２０からの液体スループット及びメルターユニット２０の溶融速度を含むことができる。
【００２４】
液体吐出システム１０の加熱機構に関して、コントローラー２８は、接着剤供給部ヒーター３４、マニホールドヒーター５６及びアプリケーターヒーター５３とともに、任意のホースヒーターを含むヒーターに電気的に結合されている。コントローラー２８はまた、接着剤供給部ヒーター３４、マニホールドヒーター５６、アプリケーターヒーター５３及び任意のホースヒーターに関連付け又は含めることができる、液体吐出システム１０内の様々な温度センサーにも結合することができる。コントローラー２８は、接着剤供給部ヒーター３４、マニホールドヒーター５６、アプリケーターヒーター５３及び任意のホースヒーターを個別に監視及び調整し、接着剤供給部２２内に収容された固形又は半固形接着剤２４ａを溶融させ、アプリケーター４８、５０に供給されるとともに接着剤吐出モジュール５４によって吐出される接着剤２４の適切な粘度を確保するように、（溶融した）接着剤２４の温度を維持する。
【００２５】
図２は、生産施設において複数のメルターユニット２０２ａ〜２０２ｅを備える複合システム２００の概略図を示す。図２にはメルターユニット２０２ａ〜２０２ｅを示すが、後述するようにデータフローを制御するために、液体吐出システム１０又は複数の液体吐出システム１０の他の任意の構成要素を使用することができる。システム２００内のデータフローは、ＯＰＣ統合アーキテクチャ（ＯＰＣ／ＵＡ）等、パブリッシュ／サブスクライブ型通信モデル（出版−購読型通信モデル）又はアーキテクチャに従って実施することができる。特に、制御データは、メルターユニット２０２によって複合コントローラー２１０にパブリッシュされる。複合コントローラー２１０にパブリッシュされた制御データは、サブスクリプション（受信要求）を介してメルターユニット２０２を選択するために、複合コントローラー２１０によって伝播される。図２に示すように、複合コントローラー２１０は、メルターユニット２０２ｅの一部として実装されている。代替的に、複合コントローラー２１０は、メルターユニット２０２ａ〜２０２ｅと同じ場所に配置された単独ユニットとして実装することができる。更なる代替例として、複合コントローラー２１０は、図３に関して考察するように、クラウドシステムとして実装することができる。
【００２６】
メルターユニットは、全体としてメルターユニット２０２と称することができ、又は、メルターユニットは、適宜、特定のメルターユニット２０２ａ〜２０２ｅのうちの１つと具体的に称することができる。システム２００は、複合システムと称することができる。システム２００は、複数のメルターユニット２０２又は他の構成要素を備えるように構成された単一液体（例えば、接着剤）吐出システム（例えば、図１の液体吐出システム１０）を表すことができる。システム２００は、代替的に、それぞれが単一のメルターユニット２０２を有する、複数の液体吐出システムを表すことができる。例えば、メルターユニット２０２ａは、第１の液体吐出システムに属することができ、メルターユニット２０２ｂは、第２の液体吐出システムに属することができ、以下同様である。さらに、システム２００は、それらの組合せを備えることができ、その場合、いくつかのメルターユニット２０２は全て共通の液体吐出システムに属し、一方で、他のメルターユニット２０２はそれぞれ、別個の単一メルターユニット液体吐出システムに属する。システム２００は概してメルターユニット２０２に関して考察するが、本明細書に記載する技法は、メルターユニット２０２のアプリケーター又は部分構成要素（例えば、マニホールド、接着剤タンク、ホース等）等、液体吐出システムの他の構成要素に適用することができる。
【００２７】
各メルターユニット２０２はコントローラー２０４を備える。メルターユニット２０２のコントローラー２０４は、概して、メルターユニット２０２の運転と、メルターユニット２０２への且つメルターユニット２０２からの通信とを制御することができる。場合によっては、コントローラー２０４は、メルターユニット２０２に関連する液体吐出システムの少なくともいくつかの態様の動作を更に制御することができる。コントローラー２０４は、制御データを受信すること、制御データを変更すること、及び制御データを他のシステムに送信すること等、コントローラー２０４に記憶された制御データを更に管理することができる。例えば、コントローラー２０４は、サブスクライバーとして複合コントローラー２１０から制御データを受信することができる。逆に、コントローラー２０４は、パブリッシャーとして複合コントローラー２１０に制御データを送信することができる。制御データは、動作パラメーター、測定データ及びハードウェア構成を含むことができる。コントローラー２０４は、図１のコントローラー２８と同じか又は同様であり得る。コントローラー２０４は、ＯＰＣ統合アーキテクチャ（ＯＰＣ／ＵＡ）コントローラーを含むことができる。
【００２８】
各コントローラー２０４は、サーバー２１４及びクライアント２１６を備えるように構成されている。サーバー２１４及びクライアント２１６は、コントローラー２０４の一部として実装することができる。さらに又は代替的に、サーバー２１４及びクライアント２１６は、少なくとも一部には、別個の物理的構成要素として実装することができる。サーバー２１４及びクライアント２１６は、メルターユニット２０２及び／又はそのコントローラー２０４のそれぞれ組込みサーバー及び組込みクライアントとみなすことができる。サーバー２１４は、組込みＯＰＣ／ＵＡサーバーを含むことができ、クライアント２１６は、組込みＯＰＣ／ＵＳクライアントを含むことができる。サーバー２１４は、概して、制御データ（すなわち、制御データメッセージ）を複合コントローラー２１０にパブリッシュするように構成されている。クライアント２１６は、概して、パブリッシュされた制御データ（すなわち、制御データメッセージ）をサブスクライブ（要求）し、複合コントローラー２１０から受信するように構成されている。システム２００のパブリッシュ−サブスクライブ型アーキテクチャでは、サーバー２１４はパブリッシャーとみなすことができ、クライアント２１６はサブスクライバーとみなすことができる。
【００２９】
述べたように、メルターユニット２０２ｅは、複合コントローラー２１０を備える。複合コントローラー２１０は、様々な制御データメッセージを調整し、メルターユニット２０２、特にメルターユニット２０２のコントローラー２０４（メルターユニット２０２ｅ自体のコントローラー２０４を含む）に且つそれらから仕向けるように構成されている。例えば、複合コントローラー２１０は、メルターユニット２０２のサーバー２１４から、パブリッシュされた制御データメッセージを受信し、サブスクリプション基準に従って、１つ以上の他のメルターユニット２０２のクライアント２１６に制御データメッセージを送信することができる。複合コントローラー２１０は、いくつかの態様では、制御データメッセージに対するメッセージブローカーとして作用することができる。
【００３０】
複合コントローラー２１０は、あるとすれば、メルターユニット２０２のうちのいずれがパブリッシュされた制御データメッセージを受信するべきかを決定するために、パブリッシュされた制御データメッセージをフィルタリングすることができる。複合コントローラー２１０は、制御データメッセージの１つ以上の分類に従って、パブリッシュされた制御データメッセージをフィルタリングすることができる。いくつかの態様では、パブリッシュされた制御データメッセージの分類（又はクラス）は、少なくとも一部には、パブリッシュサーバー２１４によって定義することができる。複合コントローラー２１０は、さらに、他のメルターユニット２０２に関連するサブスクリプションプロファイル（例えば、サブスクリプション基準）に基づいて、パブリッシュされた制御データメッセージをフィルタリングすることができる。メルターユニット２０２が、少なくとも一部には、メルターユニット２０２に関連するサブスクリプションプロファイルを定義することができる。複合コントローラー２１０によるフィルタリングは、トピックベースモデル、コンテンツベースモデル又はそれらの組合せに従って行うことができる。
【００３１】
トピックベースモデルでは、分類は、制御データに関連する構成要素のタイプ（例えば、ポンプ、ヒーター、接着剤タンク、アプリケーター、マニホールド、加熱されたホース、コントローラー等）に関することができる。分類は、さらに、制御データに関連する動作パラメーターのタイプ（例えば、温度設定値、アプリケーターサイクル速度、メルター／ヒーターデューティサイクル、制御ループ設定、制御ループタイプ、ポンプ速度等）に関することができる。分類は、さらに、制御データに示されている測定データのタイプ（例えば、接着剤温度、接着剤流速、接着剤流量及び接着剤圧力）に関することができる。分類は、さらに、制御データに示されているハードウェア構成データのタイプ（例えば、ポンプの数、ポンプ（複数の場合もある）のタイプ、接着剤タンクの保持容量、マニホールドのホース出口の数、電力容量、コントローラーとの間の制御インターフェース、メルターユニット重量、メルターユニットの外部寸法、メルターユニットからの接着剤スループット及びメルターユニットの溶融速度）に関することができる。分類は、さらに、概してデータのタイプ、例えば、動作パラメーターデータ、測定データ又はハードウェア構成データに基づくことができる。
【００３２】
コンテンツベース分類モデルでは、分類は、制御データをパブリッシュした特定のメルターユニット２０２に関することができる。分離は、さらに、動作パラメーター又は測定データの値に関することができる。例えば、分類は、動作パラメーター又は測定データ値が閾値を超える、閾値未満である、閾値範囲外である、又は閾値範囲内であることに基づくことができる。例えば、接着剤温度を示す１つのメルターユニット２０２からの制御データは、複合コントローラー２１０が、接着剤温度値が閾値範囲外であると判断することに基づいて、複合コントローラー２１０によって他のメルターユニット２０２に送信することができる。
【００３３】
複合コントローラー２１０を備えるメルターユニット２０２ｅは、制御パネルとも称するパネル２０６を備えるように構成されている。他のメルターユニット２０２のうちの１つ以上もまた、パネル２０６を備えるように構成することができる。パネル２０６は、ディスプレイ（例えば、ＬＣＤ又はＬＥＤディスプレイ）及び１つ以上のユーザー入力部（例えば、ポインティングデバイス、キーボード又は様々な制御ボタン）を備えることができる。ディスプレイは、ユーザー入力のためのタッチスクリーンディスプレイとして構成することができる。パネル２０６は、メルターユニット２０２及びシステム２００の他の構成要素／ユニットの視覚的レイアウトを表示するように構成されたグラフィカルユーザーインターフェースを出力することができる。グラフィカルユーザーインターフェースはまた、吐出システムに関連する様々なデータを表示する１つ以上のインターフェース要素（例えば、「タイル」）を備えるようにも構成することができる。インターフェース要素は、さらに又は代替的に、メルターユニット２０２又はシステム２００の他の構成要素／ユニットと関連することができる。特定の液体吐出システムに対するインターフェース要素をアクティベートすると、吐出システムの動作パラメーター、様々な測定データ及び／又は吐出システムのハードウェア構成の態様等、その吐出システムに関するデータを表示することができる。このグラフィカルユーザーインターフェースを用いて、液体吐出システム及びシステム２００の他の構成要素に対する様々な変更を入力することもできる。例えば、オペレーターは、概してグラフィカルユーザーインターフェース及びパネル２０６を用いて、液体吐出システムの動作パラメーターを変更することができる。
【００３４】
メルターユニット２０２ｅ（特に、複合コントローラー２１０）は、計算装置（コンピューティングデバイス）２２２と相互通信するように構成することができる。計算装置２２２は、有線接続又は無線接続を介してメルターユニット２０２ｅと通信することができる。例えば、計算装置２２２は、ＷＡＮ（広域ネットワーク）、ＬＡＮ（ローカルエリアネットワーク）、ＷＬＡＮ（無線ＬＡＮ）、イントラネット又はインターネットを介して、計算装置２２２と通信することができる。計算装置２２２は、メルターユニット２０２と同じ生産施設に位置することができる。例えば、オペレーターは、ポータブル計算装置２２２を持って生産施設のフロアを移動し、生産作業を監視及び管理することができる。さらに又は代替的に、計算装置２２２は、生産施設からリモートに位置することができる。いくつかの例として、計算装置２２２は、パーソナルコンピューター（ＰＣ）、ラップトップコンピューター、モバイルデバイス、タブレットコンピューター又はスマートフォンであり得る。計算装置２２２は、メルターユニット２０２ｅのパネル２０６と同様の機能を実施するように構成することができる。いくつかの態様では、メルターユニット２０２ｅは、パネル２０６なしで構成することができ、代わりに、パネル２０６の機能は計算装置２２２に移すことができる。
【００３５】
第１の制御データメッセージ２０８ａ及び第２の制御データメッセージ２０８ｂが、システム２００内のパブリッシュ／サブスクライブデータフロー例を示す。第１の制御データメッセージ２０８ａに関して、メルターユニット２０２ａのサーバー２１４は第１の制御データメッセージ２０８ａを生成し、これを複合コントローラー２１０にパブリッシュする。複合コントローラー２１０は、他のメルターユニット２０２に関連するサブスクリプションプロファイルと第１の制御データメッセージ２０８ａの態様とに従って、第１の制御データメッセージ２０８ａをフィルタリングする。第１の制御データメッセージ２０８ａの態様は、第１の制御データメッセージ２０８ａの１つ以上の分類を含むことができる。こうした分類（複数の場合もある）は、メルターユニット２０２ａのサーバー２１４によって定義されている場合がある。この例では、第１の制御データメッセージ２０８ａは、メルターユニット２０２ａのヒーターデューティサイクルを示す。メルターユニット２０２ｂ、２０２ｃ、２０２ｄに関連するサブスクリプションプロファイルは、これらのメルターユニット２０２ｂ、２０２ｃ、２０２ｄが、ヒーターデューティサイクルに関して他のメルターユニット２０２から制御データを受信するべきであることを示す（例えば、第１の制御データメッセージ２０８ａの分類）。さらに又は代替的に、メルターユニット２０２ｂ、２０２ｃ、２０２ｄに関連するサブスクリプションプロファイルは、これらのメルターユニット２０２ｂ、２０２ｃ、２０２ｄが、メルターユニット２０２ａによってパブリッシュされた制御データを受信するべきであることを示すことができる（例えば、第１の制御データメッセージ２０８ａの追加の又は代替的な分類）。いずれかの又は両方の場合において、第１の制御データメッセージ２０８ａは、サブスクリプションを介してメルターユニット２０２ｂ、２０２ｃ、２０２ｄのそれぞれのクライアント２１６に送信される。
【００３６】
第２の制御データメッセージ２０８ｂに関して、メルターユニット２０２ｂのサーバー２１４は、第２の制御データメッセージ２０８ｂを生成し、これを複合コントローラー２１０にパブリッシュする。複合コントローラー２１０は、他のメルターユニット２０２に関するサブスクリプションプロファイルと第２の制御データメッセージ２０８ｂの態様（例えば、第２の制御データメッセージ２０８ｂの１つ以上の分類）とに従って、第２の制御データメッセージ２０８ｂをフィルタリングする。この例では、第２の制御データメッセージ２０８ｂは、メルターユニット２０２ｂの温度設定値動作パラメーターを示す。メルターユニット２０２ａ、２０２ｄに関連するサブスクリプションプロファイルは、これらのメルターユニット２０２ａ、２０２ｄが、温度設定値動作パラメーターに関して他のメルターユニット２０２から制御データを受信するべきであることを示す（例えば、第２の制御データメッセージ２０８ｂの分類）。したがって、複合コントローラー２１０は、サブスクリプションを介してメルターユニット２０２ａ、２０２ｄのそれぞれのクライアント２１６に第２の制御データメッセージ２０８ｂを送信する。さらにこの例に対して、メルターユニット２０２ｃ、２０２ｅに関連するサブスクリプションプロファイルは、これらのメルターユニット２０２ｃ、２０２ｅが、温度設定値動作パラメーターが閾値範囲外である場合に、温度設定値動作パラメーターに関連する制御データのみを受信するべきであることを示すことができる（例えば、第２の制御データメッセージ２０８ｂの別の分類）。第２の制御データメッセージ２０８ｂに示されている温度設定値動作パラメーターは、閾値範囲外ではない。したがって、メルターユニット２０２ｃ、２０２ｅには、第２の制御データメッセージ２０８ｂは送信されない。
【００３７】
複合コントローラー２１０はまた、メルターユニット２０２の少なくともいくつかの動作を調整するようにも構成することができる。例えば、複合コントローラー２１０は、１つのメルターユニット２０２から制御データを受信し、それに従って動作するように第２のメルターユニット２０２に指示することができる。例えば、複合コントローラー２１０は、第１のメルターユニット２０２が動作不能であるか又は溶融した接着剤排出量が低減していることを示す制御データを受信する場合がある。したがって、複合コントローラー２１０は、第２のメルターユニット２０２に対して、その溶融した接着剤排出量を増大させて補償するように指示することができる。
【００３８】
図３は、クラウド／エッジアーキテクチャに従って構成されたシステム３００の概略図を示す。システム３００は、図２のシステム２００と少なくともいくつかの態様において同様であり得る。したがって、同様の参照符号は同様の構成要素又は部分を示す。しかしながら、図２のシステム２００の場合のように、複合コントローラーがメルターユニット２０２の一部として実装される代わりに、複合コントローラー２３２はサーバー２３０によって実装される。サーバー２３０は、クラウド／エッジシステムの一部とすることができ、メルターユニット２０２は、ネットワーク２５０を介してサーバー２３０と通信することができる。したがって、サーバー２３０は、メルターユニット２０２を収容している生産施設からリモートに位置することができるが、本開示はそのように限定されない。例えば、サーバー２３０は、メルターユニット２０２と同じ生産施設に位置し、その生産施設においてＬＡＮ（例えば、ＷＬＡＮ）を介してメルターユニット２０２に接続することができる。サーバー２３０は、単一の計算装置に限定されず、複数のネットワーク化された計算装置、記憶ユニット（例えば、データベース）及び／又はネットワーキングデバイスを備えることができる。
【００３９】
サーバー２３０に実装される複合コントローラー２３２は、図２の複合コントローラー２１０と少なくともいくつかの態様において同様であり得る。実際に、複合コントローラー２３２は、機能性の多くの態様において複合コントローラー２１０と類似しているとみなすことができる。例えば、複合コントローラー２１０と同様に、複合コントローラー２３２は、メルターユニット２０２のサーバー２１４から、パブリッシュされた制御データメッセージを受信することができる。複合コントローラー２３２は、メルターユニット２０２に関連するサブスクリプションプロファイルと制御データ自体の態様とに従って、制御データメッセージをフィルタリングすることができる。それにより、複合コントローラー２３２は、所定のメルターユニット２０２のクライアント２１６に制御データメッセージを送信することができる（又は、いずれにも送信しない場合もある）。
【００４０】
計算装置２２２が、サーバー２３０、特に複合コントローラー２３２と通信することができる。計算装置２２２は、図２におけるメルターユニット２０２ｅのパネル２０６によって提供される機能性のうちの少なくとも一部を実施することができる。例えば、計算装置２２２は、液体吐出システム及び生産施設内の他の構成要素の視覚的レイアウトを提供するグラフィカルユーザーインターフェースを表示することができる。グラフィカルユーザーインターフェースは、動作パラメーター、測定データ及びハードウェア構成データ等、液体吐出システムに関する様々なデータを表示することができる。グラフィカルユーザーインターフェースによって表示されるデータは、メルターユニット２０２によってパブリッシュされた又は他の方法でメルターユニット２０２から受信された制御データメッセージから導出することができる。グラフィカルユーザーインターフェースは、インターフェース要素に関連する液体吐出システムの更なるデータを表示するようにアクティベートすることができる様々な対話型インターフェース要素（「タイル」）を提供することができる。グラフィカルユーザーインターフェース及び計算装置２２２は、概して液体吐出システム及びシステムの他の構成要素の様々な態様を制御するために用いることができる。例えば、計算装置２２２を用いて、液体吐出システムの様々な動作パラメーターを調整することができる。こうした制御は、サーバー２３０及び／又は複合コントローラー２３２を介して実現することができる。
【００４１】
図４は、図２のシステム２００及び／又は図３のシステム３００とともに使用することができるユーザーインターフェース４００を示す。ユーザーインターフェース４００は、生産施設（すなわち、構内）における実際のレイアウトを反映する、生産ライン及び関連するシステムの視覚的表現を表示する。ユーザーインターフェース４００は、さらに、上記システムに関する様々なデータを示す。ユーザーインターフェース４００は、１つ以上のメルターユニット（例えば、図２及び図３のメルターユニット２０２）のコントローラー（例えば、図２及び図３のコントローラー２０４）とパネル（例えば、図２及び図３のパネル２０６）とによって実装することができる。ユーザーインターフェース４００は、さらに又は代替的に、複合コントローラー（例えば、図２の複合コントローラー２１０）と、複合コントローラーを備えるメルターユニット（例えば、図２のメルターユニット２０２ｅ）のパネルとによって実装することができる。ユーザーインターフェース４００は、さらに又は代替的に、サーバー（例えば、図３のサーバー２３０）において複合コントローラー（例えば、図３の複合コントローラー２３２）によって実装することができる。ユーザーインターフェース４００は、さらに又は代替的に、複合コントローラーと通信する計算装置（例えば、図２及び図３の計算装置２２２）によって実装することができる。
【００４２】
ユーザーインターフェース４００は、生産ライン（例えば、生産機械）に関連することができる。生産ラインは、例えば、使い捨て衛生製品を製造するか又は段ボール包装を組み立てる生産ラインを含むことができる。生産ラインは、ユーザーインターフェース４００において生産ライン要素４０２によって表される。ユーザーインターフェース４００は、複数のシステム要素４０４ａ〜４０４ｇ（全体として、システム要素４０４と称する）を含む。システム要素４０４は、ユーザーインターフェース４００の「タイル」とみなすことができる。各システム要素４０４は、液体吐出システム（例えば、図１の液体吐出システム１０）又は他のタイプのシステムに関連することができる。システム要素４０４に対応するシステムはメルターユニットであり得る。システム要素４０４に対応するシステムは、共通の複合コントローラーを介して互いに関連することができる。
【００４３】
システム要素４０４は、生産ラインにおけるその機能に従って、又は別のタイプの識別子によってラベル付けすることができる。例えば、システム要素４０４ｃは「バックシート」とラベル付けされ、システム要素４０４ｄ、４０４ｅは「トップシート１」及び「トップシート２」とそれぞれラベル付けされ、システム要素４０４ｆ、４０４ｇは「弾性体１」及び「弾性体２」とそれぞれラベル付けされている。各システム要素４０４は、対応するシステムの運転モードを示すように構成された運転モード要素４０６を含むことができる。例えば、システム要素４０４ａに対する運転モード要素４０６は、対応するシステムが生産モードにあることを示す。別の例として、システム要素４０４ｃに対する運転モード要素４０６は、対応するシステムが保守モードにあることを示す。示されている運転モードに従って、運転モード要素４０６を色分けすることができる。各システム要素４０４の運転モード要素４０６は、図４では図示を明確にするためにラベル付けされていない。
【００４４】
システム要素４０４及び生産ライン要素４０２は、生産施設における対応するシステム及び生産ラインの相対位置に従って（例えば、相対位置を反映するように又は相対位置に一致するように）ユーザーインターフェース４００の上に視覚的に配置される。例えば、システム要素４０４によって表されるシステムは、生産ラインの特定の箇所に位置決めすることができ、生産ライン上のこの位置は、ユーザーインターフェース４００における生産ライン要素４０２に対するシステム要素４０４の配置に反映される。生産ライン要素４０２及びシステム要素４０４の相対的な位置決め（及び寸法決め）は、必ずしも正確な縮尺ではない。
【００４５】
ユーザーインターフェースにおけるシステム要素４０４の位置を調整することができる。例えば、ユーザーは、システム要素４０４の位置を調整するようにユーザーインターフェース４００に入力を提供することができる。さらに又は代替的に、ユーザーインターフェース４００を実装するシステムは、システム要素４０４の位置決めを自動的に調整することができる。一例として、生産ラインに新たな液体吐出システムが設置されると、この液体吐出システムを自動的に検出し、ユーザーインターフェース４００によって表される生産アーキテクチャに挿入することができる。ユーザーインターフェース４００において、この新たに設置された液体吐出システムに対応するシステム要素４０４を作成することができる。そして、ユーザー（又はコントローラー）は、生産ライン及び他のシステムに対する新たな液体吐出システムの実際の位置に従ってシステム要素４０４を位置決めすることができる。対応するシステムが生産ラインにおける１つの位置から生産ラインにおける別の場所に動かされると、ユーザー（又はコントローラー）は、システム要素４０４の位置を同様に調整することができる。
【００４６】
各システム要素４０４は、生産ラインにおける対応するシステムの位置を示すことができる。例えば、システム要素４０４ａは、対応するシステムが生産ラインにおける第１の位置にあることを示すように「１−１」を含み、システム要素４０４ｂは、対応するシステムが生産ラインにおける第２の位置にあることを示すように「２−１」を含む。他の例として、システム要素４０４ｄは、対応するシステムが生産ラインにおける第５の位置にあり且つ第５の位置における第１のシステムであることを示すように「５−１」を含み、システム要素４０４ｅは、対応するシステムが生産ラインにおける第５の位置にあり且つ第５の位置における第２のシステムであることを示すように「５−２」を含む。第３の位置及び第６の位置等、生産ライン上のいくつかの位置はシステムを含まない場合があることに留意されたい。
【００４７】
各システム要素４０４は、稼働状態、オフ状態及び障害状態等、関連システムの状態を示すシステム状態要素４０８を更に含む。特に、システム状態要素４０８は、関連システムのシステム状態を表すように色分けすることができる。例えば、システム１（システム要素４０４ａ）に対するシステム状態要素４０８は、システム１が稼働中であることを示すことができ、システム２（システム要素４０４ｂ）に対するシステム状態要素４０８は、システム２がオフであることを示すことができ、バックシート（システム要素４０４ｃ）に対するシステム状態要素４０８は、バックシートが障害状態にあることを示すことができる。
【００４８】
システム要素４０４のうちのいくつかは、対応するシステムのメルターユニット（複数の場合もある）における接着剤又は他の液体の充填レベルを示す充填レベル要素４１０を更に含む。充填レベルは、充填レベル要素４１０の色付きバーによってより詳細に視覚的に示される。例えば、バーは、最初、メルターユニットが満杯であるときは緑色であり得るが、充填レベルが低下するに従い緑色から黄色、赤色に遷移する。バーの色は、１つ以上の事前定義された閾値又は閾値範囲に対する充填レベルに基づくことができる。充填レベルが低下するに従い、色付きバーの全長が同様に低減する。充填レベルは、溶融していない固形若しくは半固形粒子又は溶融した液体（例えば、接着剤）に関することができる。充填レベルはまた、システム要素４０４内のパーセンテージ値によって数値的にも示される。
【００４９】
システム要素４０４は、対応するシステムに関する更なる情報及び機能性にアクセスするためにインタラクトするか又はアクティベートする（例えば、クリックオンする）ことができる。例えば、システム要素４０４のアクティベーションにより、目下図４に示すように、ユーザーインターフェース４００の上にポップアップインターフェース要素が現れるようにすることができる。または、更なる情報及び機能性にアクセスするために、新たな異なるユーザーインターフェースを提示することができる。システム要素４０４のアクティベーション時に表示される更なる情報としては、対応するシステムの動作パラメーター、対応するシステムの現時点の及び／又は過去の測定データ、並びに対応するシステムのハードウェア構成データを挙げることができる。ポップアップ又は新たなユーザーインターフェースは、システムの様々なデータカテゴリー又は構成要素に対応する追加のユーザーインターフェース要素又は「タイル」を含むことができる。例えば、温度データに対するインターフェース要素のアクティベーションにより、システムに対する温度設定値（複数の場合もある）及び測定温度値を表示する更に別のポップアップ又はユーザーインターフェースを表示することができる。別の例として、システムの特定のメルターユニットのインターフェース要素のアクティベーションにより、ホース出口の数、流れスループット容量、ポンプタイプ、物理的寸法及び利用可能な制御インターフェース等、メルターユニットのハードウェア構成の様々な態様を表示する別のポップアップ又はユーザーインターフェースを表示することができる。図４において目下示すようなユーザーインターフェース４００を含む、階層内の先行するポップアップ又はユーザーインターフェースに戻るように、ポップアップ又は新たなユーザーインターフェースを閉じることができる。図９Ａ〜図１７Ｃに示すユーザーインターフェース７０４及びその要素は、ユーザーインターフェース４００と一体化することができるこうしたユーザーインターフェース、ポップアップ、タイル又はウィンドウの例である。さらに又は代替的に、ユーザーインターフェース４００は、図９Ａに示すユーザーインターフェース７０４のＭａｃｈｉｎｅＶｉｅｗ（マシンビュー）タイル７２０としての役割を果たすことができ、ユーザーインターフェース４００のシステム要素４０４は、ユーザーインターフェース７０４のメルターユニット要素７３３に関連して記載した機能性を更に採用する。
【００５０】
図５は、メルターユニット等、複数の液体吐出システム又は構成要素の間で制御データを通信する方法５００のデータフロー図を示す。具体的には、方法５００は、複数の液体吐出システムメルターユニットのうちの第１のメルターユニットと複数の液体吐出システムメルターユニットのうちの第２のメルターユニットとの間で制御データを通信することができる。液体吐出システムは、図１の液体吐出システム１０等、接着剤吐出システムを含むことができる。方法５００は、図２のシステム２００及び／又は図３のシステム３００内で実行することができる。したがって、複数の液体吐出システムメルターユニットは、図２及び図３のメルターユニット２０２と同じか又は同様であり得る。液体吐出システムメルターユニットは、単一の液体吐出システムに対するメルターユニットを含むことができ、液体吐出システムメルターユニットは、複数の異なる液体吐出システムに対するメルターユニットを含むことができ、又はそれらの組合せを含むことができる。例えば、第１のメルターユニット及び第２のメルターユニットの両方が、同じ液体吐出システムに属することができる。または、第１のメルターユニット及び第２のメルターユニットは、異なる液体吐出システムに属することができる。
【００５１】
ステップ５０２において、複数の液体吐出システムメルターユニットのうちの第１のメルターユニット（例えば、図２及び図３のメルターユニット２０２ａ）は、複数の液体吐出システムメルターユニットに関連する複合コントローラー（例えば、図２の複合コントローラー２１０又は図３の複合コントローラー２３２）に制御データメッセージをパブリッシュする（例えば、送信する）。制御データメッセージは、第１のメルターユニットのコントローラー（例えば、図２及び図３のコントローラー２０４）によってパブリッシュすることができる。さらに、コントローラーは、パブリッシャーサーバー（例えば、図２及び図３のサーバー２１４）とサブスクライバークライアント（例えば、図２及び図３のクライアント２１６）とを備えることができる。コントローラーは、埋込みＯＰＣ／ＵＡコントローラーを含むことができる。さらに、パブリッシャーサーバー及びサブスクライバークライアントは、それぞれ、埋込みＯＰＣ／ＵＡパブリッシャーサーバー及び埋込みＯＰＣ／ＵＡサブスクライバークライアントを含むことができる。制御データメッセージは、第１のメルターユニットのコントローラーのパブリッシャーサーバーによってパブリッシュすることができる。
【００５２】
制御データメッセージは、第１のメルターユニットの動作パラメーターに関連する制御データを含むことができる。例えば、動作パラメーターは、温度設定値、温度制御ループ設定、制御ループタイプ、ポンプ速度、ポンプモーター速度、ヒーターデューティサイクル又はアプリケーターサイクル速度を含むことができる。制御データメッセージは、液体温度、液体流速、液体流量又は液圧等、第１のメルターユニットによって測定されるデータを含むことができる。制御データメッセージは、ポンプの数、ポンプタイプ、液体保持容量、ホース出口の数、電力容量、制御インターフェースの数、メルターユニット重量、メルターユニット外部寸法、流れスループット又は溶融速度等、第１のメルターユニットのハードウェア構成を含むことができる。
【００５３】
複合コントローラーは、複数の液体吐出システムメルターユニットのうちの第３のメルターユニット（例えば、図２のメルターユニット２０２ｅ）によって実装することができる。第３のメルターユニットは、制御データメッセージにおいて示されている制御データの少なくとも一部を表示するように構成された制御パネル（例えば、パネル２０６）を備えることができる。さらに又は代替的に、複数の液体吐出システムメルターユニットに関連するリモートクラウド／エッジサーバー（例えば、図３のサーバー２３０）が、複合コントローラーを実装することができる。
【００５４】
計算装置（例えば、図２及び図３の計算装置２２２）が、複合コントローラーを介して、制御メッセージに示されている制御データにアクセスすることができる。例えば、複合コントローラーは、クラウド／エッジサーバーの複合コントローラー、又は第３のメルターユニットの複合コントローラーと通信することができる。計算装置は、複数の液体吐出システムメルターユニットを収容している構内の外部に位置することができ、又は、計算装置は、複数の液体吐出システムメルターユニットを収容している同じ構内に位置することができる。計算装置は、パーソナルコンピューター（ＰＣ）、ラップトップコンピューター、モバイルデバイス、タブレットコンピューター又はスマートフォンのうちの少なくとも１つを含むことができる。
【００５５】
ステップ５０４において、制御データメッセージの分類に基づき、第２のメルターユニットが制御データメッセージに対するサブスクライバーであると判断される。複合コントローラーが、第２のメルターユニットが制御データメッセージに対するサブスクライバーであると判断することができる。第２のメルターユニットがサブスクライバーであると判断することは、複合コントローラーによって受信された複数の制御データメッセージから制御データメッセージをフィルタリングすることを含むことができる。第２のメルターユニットが制御データメッセージに対するサブスクライバーであると判断することは、トピックベース手法及び／又はコンテンツベース手法に従って実施することができる。
【００５６】
例として、制御データメッセージの分類は、制御データメッセージに関連するメルターユニット構成要素のタイプ、制御データメッセージに関連する動作パラメーターのタイプ、制御データメッセージに関連する測定データのタイプ、及び／又は制御データメッセージに関連するハードウェア構成データのタイプに基づくことができる。さらに、制御データメッセージの分類は、動作パラメーターデータを含む制御データメッセージ、測定データを含む制御データメッセージ、又はハードウェア構成データを含む制御データメッセージのうちの少なくとも１つに基づくことができる。第１のメルターユニットは、少なくとも一部には、制御データメッセージの分類を定義することができる。
【００５７】
第２のメルターユニットが制御データメッセージに対するサブスクライバーであると判断することは、さらに、第２のメルターユニットに関連するサブスクライバープロファイル（例えば、サブスクライバー基準）に基づくことができる。サブスクライバープロファイルは、第１のメルターユニットによってパブリッシュされた制御データメッセージの分類に関連する制御データメッセージに対するサブスクリプションを示すことができる。例えば、制御データメッセージが温度設定値データを含むものとして分類される場合、サブスクライバープロファイルは、温度設定値データを含む制御データメッセージに対するサブスクリプションを示すことができる。さらに、サブスクライバープロファイルは、複数の液体吐出システムメルターユニットのうちの選択されたメルターユニットによってパブリッシュされた制御データメッセージに対するサブスクリプションを示すことができる。この場合、第２のメルターユニットに関連するサブスクライバープロファイルは、第１のメルターユニットによってパブリッシュされた制御データメッセージに対するサブスクリプションを示すことができる。さらに、サブスクライバープロファイルは、閾値を超える、閾値未満である、閾値範囲内である、又は閾値範囲外である、のうちの少なくとも１つである制御データを含む制御データメッセージに対するサブスクリプションを示すことができる。例えば、第２のメルターユニットに関連するサブスクライバープロファイルは、液体測定温度が温度閾値を超えるということを示す制御データメッセージに対するサブスクリプションを示すことができる。サブスクライバープロファイルは、少なくとも一部には、第２のメルターユニットによって定義することができる。
【００５８】
ステップ５０６において、制御データメッセージは第２のメルターユニットに送信される。制御データメッセージは、複合コントローラーによって第２のメルターユニットに送信することができる。制御データメッセージは、第２のメルターユニットのコントローラーに送信することができる。第２のメルターユニットのコントローラーは、埋込みＯＰＣ／ＵＡコントローラーを含むことができる。第２のメルターユニットのコントローラーは、パブリッシャーサーバー（例えば、図２及び図３のサーバー２１４）とサブスクライバークライアント（例えば、図２及び図３のクライアント２１６）とを備えることができる。第２のメルターユニットのパブリッシャーサーバー及びサブスクライバークライアントは、それぞれ、埋込みＯＰＣ／ＵＡパブリッシャーサーバー及び埋込みＯＰＣ／ＵＡサブスクライバークライアントを含むことができる。データ制御メッセージは、第２のメルターユニットのコントローラーのサブスクライバークライアントに送信し、そうしたサブスクライバークライアントが受信することができる。
【００５９】
方法５００は、複数の液体吐出システムメルターユニットのうちの少なくとも１つのメルターユニットに関する制御データを表示することを更に含むことができる。制御データは、制御データメッセージによって示される制御データであり得る。制御データは、複数の液体吐出システムメルターユニットに関連するユーザーインターフェース（例えば、図４のユーザーインターフェース４００及び／又は図９Ａ及び図９Ｂのユーザーインターフェース７０４）を介して表示することができる。ユーザーインターフェースを介して、オペレーターは、複数の液体吐出システムメルターユニット、又は複数の液体吐出システムメルターユニットのうちの１つ以上のメルターユニットを備える吐出システム（複数の場合もある）の少なくともいくつかの態様を制御することができる。例えば、ユーザーインターフェースは、ユーザーインターフェースへのユーザー入力に基づいて、複数の液体吐出システムメルターユニットのうちの少なくとも１つのメルターユニット（例えば、第１のメルターユニット又は第２のメルターユニット）の少なくとも１つの動作パラメーターの調整を可能にするように構成することができる。
【００６０】
ユーザーインターフェースは、第３のメルターユニット（例えば、図２のメルターユニット２０２ｅ）によって出力する（例えば、表示する）ことができる。第３のメルターユニットは、制御パネル（例えば、図２及び図３のパネル２０６）を備えることができ、制御パネルはユーザーインターフェースを表示することができる。第３のメルターユニットは、この場合、複合コントローラーを備える場合もあれば備えない場合もある。ユーザーインターフェースは、さらに又は代替的に、複数の液体吐出システムメルターユニットに関連する計算装置（例えば、図２及び図３の計算装置２２２）によって出力することができる。計算装置は、第３のメルターユニットと通信することができる。例えば、第３のメルターユニットが複合コントローラーを備える場合、計算装置は、第３のメルターユニットの複合コントローラーと通信することができる。計算装置は、第３のメルターユニットを介して、制御データメッセージに示されている制御データを含む制御データを受信することができる。この制御データは、計算装置によって出力されるユーザーインターフェースにおいて表すことができる。
【００６１】
さらに又は代替的に、計算装置は、複数の液体吐出システムメルターユニットを収容している構内からリモートに位置するクラウド／エッジサーバー（例えば、図３のサーバー２３０）と通信することができる。クラウド／エッジサーバーが複合コントローラーを備える場合、計算装置は、クラウド／エッジサーバーの複合コントローラーと通信することができる。計算装置は、クラウド／エッジサーバーを介して、制御データメッセージに示されている制御データを含む制御データを受信することができる。この制御データは、計算装置によって出力されるユーザーインターフェースにおいて表すことができる。計算装置は、生産施設等、複数の液体吐出システムメルターユニットを収容している構内からリモートに位置することができ、又は、計算装置は、複数の液体吐出システムメルターユニットを収容している構内と同じ構内にあり得る。
【００６２】
ユーザーインターフェースは、第１のメルターユニット及び第２のメルターユニットに関連する生産ラインを表す生産ライン要素（例えば、図２の生産ライン要素４０２）を含むことができる。ユーザーインターフェースは、複数のシステム要素（例えば、図４のシステム要素４０４）を更に含むことができる。複数のシステム要素のうちの１つのシステム要素は、液体吐出システムを表すことができる。複数のシステム要素のうちの１つのシステム要素は、第１のメルターユニット又は第２のメルターユニットのうちの少なくとも一方に関連する液体吐出システムを表すことができる。例えば、第１のシステム要素は、第１のメルターを備える第１の液体吐出システムを表すことができ、第２のシステム要素は、第２のメルターを備える第２の液体吐出システムを表すことができる。生産ライン要素及び複数のシステム要素は、生産ラインの関連する構内（例えば、生産施設）及び複数のシステム要素によって表される液体吐出システムにおける相対的な位置を反映するように、ユーザーインターフェースに配置することができる。
【００６３】
複数のシステム要素のうちの少なくとも１つのシステム要素は、表される液体吐出システムの運転モードを示す運転モード要素（例えば、図４の運転モード要素４０６）を含むことができる。例えば、運転モード要素は、表される液体吐出システムが、生産モード、セットアップモード又は保守モードにあることを示すことができる。複数のシステム要素のうちの少なくとも１つのシステム要素は、表される液体吐出システムに関連する充填レベルを示す充填レベル要素（例えば、図４の充填レベル要素４１０）を含むことができる。充填レベルは、例えば、液体吐出システムのメルターユニットにおける液体の充填レベルに関することができる。システム要素は、アクティベートされると、インターフェース要素（例えば、ポップアップ）が表示されるように構成することができる。インターフェース要素は、システム要素によって表される液体吐出システムに関連する制御データを示すことができる。例えば、こうした制御データは、液体吐出システム内の様々な箇所における複数の測定温度を含むことができる。
【００６４】
図６は、複合システム（例えば、図２のシステム２００及び／又は図３のシステム３００）に液体吐出システム構成要素を追加する方法６００の方法フロー図を示す。複合システムは、複合コントローラー（例えば、図２の複合コントローラー２１０及び／又は図３の複合コントローラー２３２）と、複数の液体吐出システム（例えば、図１の液体吐出システム１０）とを備えることができる。液体吐出システム構成要素は、メルターユニット（例えば、図２及び図３のメルターユニット２０２）を含むことができる。複合システムにメルターユニットを追加することは、追加されたメルターユニットが一部をなす液体吐出システムを複合システムに追加することを含むことができる。いくつかの態様では、液体吐出システム構成要素は、液体吐出システム自体を含むことができる。
【００６５】
液体吐出システム構成要素を追加することは、複合システムの機能性に液体吐出システム構成要素の機能性を全体として組み込むことを含むことができる。一例として、方法６００は、液体吐出システム構成要素が複合システムの他の液体吐出システムと並んで生産ラインに設置されることに応答して開始することができる。
【００６６】
ステップ６０２において、液体吐出システム構成要素から信号が検出される。この信号は、液体吐出システム構成要素によって生成することができる。この信号は、液体吐出システム構成要素のコントローラー（例えば、図２及び図３のコントローラー２０４）によって生成することができる。コントローラーはメルターユニットであり得る。信号は、例えば、ビーコン信号を含むことができる。信号は、複合コントローラーが接続されているネットワークにおいて複合コントローラーによって検出することができる。一例として、ネットワークは、複合システムを収容している生産施設におけるＬＡＮ（例えば、ＷＬＡＮ）を含むことができる。液体吐出システム構成要素は、液体吐出システム構成要素がネットワークに接続されることに応答して信号を生成することができる。
【００６７】
ステップ６０４において、液体吐出システム構成要素に関連する構成データが要求される。この要求は、信号を検出することに応答することができる。この要求は、複合コントローラーにより且つ液体吐出システム構成要素に送信することができる。この要求は、液体吐出システム構成要素のコントローラーに送信することができる。
【００６８】
ステップ６０６において、液体吐出システム構成要素から構成データが受信される。複合コントローラーが、構成データを受信することができる。この構成データは、構成データに対する要求に基づいて受信することができる。構成データは、液体吐出システム構成要素に関連するハードウェア構成データを含むことができる。例えば、ハードウェア構成データは、ポンプの数、ポンプタイプ、液体保持容量、ホース出口の数、電力容量、制御インターフェースの数、メルターユニット重量、メルターユニット外部寸法、流れスループット又は溶融速度のうちの少なくとも１つを含むことができる。
【００６９】
ステップ６０８において、構成データに基づいて、複合システムに液体吐出システム構成要素が追加される。複合コントローラーが、複合システムに液体吐出システム構成要素を追加することができる。液体吐出システム構成要素は、複合システムに追加されると、生産ラインにおいて、複合システムの液体吐出システムのうちの１つ以上とともに動作することができる。
【００７０】
方法６００は、複合システムに関連するユーザーインターフェース（例えば、図４のユーザーインターフェース４００及び／又は図９Ａ及び図９Ｂのユーザーインターフェース７０４）において、追加された液体吐出システム構成要素を表すことを更に含むことができる。複合コントローラーは、ユーザーインターフェースを出力することができる。例えば、メルターユニットの制御パネル（例えば、図２及び図３のパネル２０６）が、ユーザーインターフェースを出力することができる。メルターユニットは、複合コントローラーとユーザーインターフェースを出力する制御パネルとの両方を備えることができる。さらに又は代替的に、複合コントローラーと通信する計算装置（例えば、図２及び図３の計算装置２２２）がユーザーインターフェースを出力することができる。
【００７１】
ユーザーインターフェースは、それぞれが複合システムの液体吐出システムを表す、複数のシステム要素（例えば、図４のシステム要素４０４）を含むことができる。ユーザーインターフェースは、複合システムに関連する生産ラインを表す生産ライン要素（例えば、図４の生産ライン要素４０２）を更に含むことができる。生産施設（すなわち、構内）における表された液体吐出システム及び生産ラインの実際の配置を反映するように、ユーザーインターフェースに複数のシステム要素及び生産ライン要素を配置することができる。
【００７２】
複合システムに液体吐出システム構成要素が追加されたことに応答して、ユーザーインターフェースにおいて、新たに追加された液体吐出システム構成要素を表すシステム要素を生成することができる。オペレーターが、液体吐出システム構成要素を表すシステム要素が生成されるようにユーザーインターフェースにユーザー入力を提供することができる。ユーザーインターフェースにおける生産ライン要素及び初期システム要素と同様に、液体吐出システム構成要素、表された液体吐出システム、及び生産施設における生産ラインの相対的な位置決めを反映するように、ユーザーインターフェースにおいて、液体吐出システム構成要素を表すシステム要素を同様に位置決めすることができる。したがって、追加された液体吐出システム構成要素を表すシステム要素は、（例えば、複合コントローラーによって提供されるロジックに基づき）自動的に、又はユーザー入力に基づいて、位置決めすることができる。例えば、オペレーターが、追加された液体吐出システム構成要素を表すシステム要素をドラッグアンドドロップすることができる。
【００７３】
追加された液体吐出システム構成要素を表すシステム要素を含むシステム要素は、アクティベートされると、インターフェース要素（例えば、ポップアップ）が表示されるように構成することができる。インターフェース要素は、システム要素によって表される液体吐出システム（又はその構成要素）に関連する制御データを示すことができる。例えば、こうした制御データは、液体吐出システム内の様々な箇所における複数の測定温度を含むことができる。
【００７４】
図７は、３つの動作可能に接続されたメルターユニット７０２を備える例としての複合システム７００の少なくとも一部を示す。図７のシステム７００は、少なくともいくつかの態様では、図１の液体吐出システム１０、図２のシステム２００及び／又は図３のシステム３００と同じか又は同様であり得る。同様に、図７のメルターユニット７０２は、少なくともいくつかの態様では、図１のメルターユニット２０及び／又は図２及び図３のメルターユニット２０２と同じか又は同様であり得る。したがって、メルターユニット７０２は、メルターユニット７０２に供給される固形又は半固形接着剤を溶融させる１つ以上のヒーターを備えるように構成されたリザーバーを備えることができる。メルターユニット７０２は、１つ以上のアプリケーター（例えば、溶融した接着剤を吐出するように構成されたアプリケーター）に、接続されたホース（例えば、加熱されたホース）を介して溶融した接着剤を分配するために、マニホールドを更に備えることができる。それぞれのメルターユニット７０２に関連するマニホールド、ホース又はアプリケーターに又はその中など、システム７００全体にわったって、追加のヒーターがあってもよい。システム７００は、同様に、それぞれのメルターユニット７０２のリザーバー、マニホールド、ホース又はアプリケーター内などのシステム７００内の様々な箇所において、溶融した接着剤の温度を測定する、１つ以上のセンサーを備えることができる。図７には図示しないが、１つ以上のアプリケーター、ホース及び任意の接着剤供給装置（複数の場合もある）（例えば、ホッパー）は、システム７００の一部とみなすことができる。システム７００の各メルターユニット７０２が、特にそのメルターユニット７０２に関連する１つ以上のアプリケーターに溶融した接着剤を提供することが企図される。
【００７５】
システム７００は図７では３つのメルターユニット７０２を有するものとして示すが、メルターユニット７０２のタイプ、吐出される材料のタイプ、溶融させ吐出する必要がある材料の量、及び／又は他の製造要素に応じて、任意の好適な数のメルターユニット７０２を有することができることが理解されよう。さらに、システム７００のメルターユニット７０２は、異なるタイプのメルターユニット７０２、及び／又は異なる動作パラメーター又は構成に従って動作するメルターユニットを含むことができる。図８は、単一の例としてのメルターユニット７０２の拡大図を示す。
【００７６】
メルターユニット７０２（例えば、関連する制御デバイス７１０）は、別の制御デバイス７１０又はクラウドシステムを含む他のデバイスとのネットワーク通信を実施するために、無線インターフェース７４８等の通信インターフェースを更に備えることができる。無線インターフェース７４８は、例えば、Ｗｉ−Ｆｉを介して通信することができる。無線インターフェース７４８は、さらに又は代替的に、セルラー通信デバイスを含むことができる。
【００７７】
システム７００は、システム７００の他の構成要素のメルターユニット７０２のうちの１つ以上に関する情報等、システム７００に関する情報を表示するように構成された１つ以上の制御デバイス７１０を備えることができる。図７及び図８の制御デバイス７１０は、少なくともいくつかの態様において、図１のコントローラー２８及び／又は図２及び図３の複合コントローラー２０４と同じか又は同様であり得る。制御デバイス７１０は、メルターユニット７０２のうちの１つ以上又は他の構成要素に配置することができる。例えば、こうした制御デバイス７１０は、メルターユニット７０２に組み込むことができる。一態様では、システム７００の単一のメルターユニット７０２のみが、制御デバイス７１０を備えるように構成される。例えば、制御デバイス７１０を備えるように構成されたこうした単一のメルターユニット７０２は、複合コントローラー２１０を備えるように構成されている図２のメルターユニット２０２ｅと同じか又は同様であり得る。実際には、複合コントローラー２１０及び制御デバイス７１０は、同じ計算モジュール（コンピューティングモジュール）又は計算装置に実装することができる。
【００７８】
さらに又は代替的に、制御デバイス７１０は、個々のメルターユニット７０２のうちの１つ以上又はシステム７００の他の構成要素と（例えば、無線又は有線）通信する単独装置であり得る。単独制御デバイス７１０は、デスクトップコンピューター、ポータブルコンピューター、タブレット及び／又は携帯電話を含むことができる。一態様では、システム７００は、複数の制御デバイス７１０を含むことができる。例えば、システム７００は、１つ以上の他のメルターユニット７０２と直接有線通信する１つ以上の制御デバイス７１０、及び／又は１つ以上のメルターユニット７０２と無線通信する１つ以上の単独制御デバイス７１０を有することができる。単独制御デバイス７１０は、いくつかの態様では、図２及び図３の計算装置２２２と同じか又は同様であり得る。単独制御デバイス７１０の制御機能は、クラウドシステムによって促進することができ、クラウドシステムは、いくつかの態様では、図３のサーバー２３０と同じか又は同様のサーバーを備えることができる。
【００７９】
図９Ａ〜図１７Ｃは、制御デバイス７１０の画面７１２を介する等、制御デバイス７１０によって出力されるユーザーカスタマイズ可能なグラフィカルユーザーインターフェース７０４の様々な態様を示す。ユーザーインターフェース７０４及び関連する特徴は、概してメルターユニットに関連して考察するが、こうした開示は、アプリケーター、吐出モジュール、ホース、固形若しくは半固形接着剤供給装置を含むシステム７００の他の構成要素、又はこうした他の構成要素内に配置されたヒーターに等しく適用可能である。概して、ユーザーインターフェース７０４は、複数のメルターユニット７０２及びシステム７００の他の構成要素の制御データ（例えば、動作パラメーター又は状態情報）を表示するように構成されている。ユーザーインターフェース７０４は、ユーザーが、メルターユニット７０２及びシステム７００の他の構成要素の様々な動作パラメーターを設定又は調整するのを可能にするように更に構成されている。ユーザーインターフェース７０４を介して表示及び／又は制御することができる具体的なパラメーターは、メルターユニット７０２の特定のタイプ、吐出すべき材料、及び／又は所与のシステム７００で実装される具体的な製造プロトコルによって決まることが理解されよう。例として、こうしたパラメーターとしては、限定されないが、様々な構成要素の温度、ポンプ回転速度、材料の量、圧力、吐出パターン、吐出される材料の量、吐出される材料のタイプ、ガスの存在、メルターの運転状態、地理的及び距離情報、具体的な許可情報、並びに生産施設におけるメルターユニット７０２及びシステム７００の他の構成要素の相対的な位置決めを挙げることができる。一態様では、ユーザーインターフェース７０４は、図１〜図６に関連して且つ本開示を通して考察した制御データ等の制御データを、表示、設定、変更、通信及び他の方法で操作するように構成されている。
【００８０】
制御デバイス７１０は、複数の運転モードへのアクセスを可能にすることができる。例えば、「生産」モードでは、或る特定のパラメーターを変更することができる。設定値及び運転モードは変更することができるが、他のシステム構成は変更されないようにすることができる。「セットアップ」モードでは、制御デバイス７１０は、システムのシミュレーション、パラメーターの初期セットアップ、構成要素機能性の確認及びシステムのパージを可能にすることができる。「保守」モードでは、制御デバイス７１０は、メルターユニット７０２又は他の構成要素のメンテナンス（例えば、ポンプ、フィルター又は他の構成要素の交換）を可能にすることができる。
【００８１】
制御デバイス７１０は、１人以上のユーザーが、複数のメルターユニット７０２又は他の構成要素のパラメーターを同時に監視及び／又は変更するのを可能にすることができる。これにより、各個々のメルターユニット７０２又は他の構成要素を別個に監視するために必要な時間を短縮することができる。さらに、ユーザーは、各別個のメルターユニット７０２又は他の構成要素に対してパラメーターを個別に変更しなければならないのではなく、全てのメルターユニット７０２又はシステム７００の他の構成要素に同時にコマンドを送信することができる。
【００８２】
制御デバイス７１０は、ユーザーが、個々のメルターユニット７０２を比較してシステム７００内の損傷、欠陥又は他の不整合を決定するのを可能にすることができる。システム７００における全てのメルターユニット７０２の制御を可能にすることにより、ユーザーは、任意の数の理由（例えば、メンテナンス、過熱、材料の再装填等）で１つ以上のメルターユニット７０２を停止又は一時停止し、システム７００内の残りのメルターユニット７０２が、停止又は一時停止したメルターを補償するのを確実にすることができる。これは、一貫した生産を維持しダウンタイム（稼働停止時間）を低減させるのに役立つことができる。
【００８３】
上述したように、ユーザーインターフェース７０４は、ユーザーカスタマイズされるように構成されている。例えば、状態／パラメーター情報及び制御機能の大部分は、「タイル」と称する一連の対話型インターフェース要素を介して提示される。ユーザーインターフェース７０４にいずれのタイルが表示されるかと、タイルがユーザーインターフェース７０４のどこに表示されるかと、タイルがユーザーインターフェース７０４にいつ表示されるかと、に関する特定の構成は、少なくとも一部には、ユーザーの嗜好設定によって決定することができる。
【００８４】
図９Ａ及び図９Ｂは、それぞれがユーザーインターフェース７０４のわずかな変形及び／又は状態による、ユーザーインターフェース７０４を示す。ユーザーインターフェース７０４は、状態領域７３０、ダッシュボード領域７３１及びナビゲーション領域７３２に分割される。ダッシュボード領域７３１は、概して、上述したタイルが表示され且つインタラクトされる領域である。
【００８５】
状態領域７３０に関して、要素７１８は、様々な情報及び制御機能が少なくとも一部にはダッシュボード領域７３１内に提示される、選択されたメルターユニット７０２又は他の構成要素を示す。この要素に示されている選択されたメルターユニット７０２は、ＭａｃｈｉｎｅＶｉｅｗタイル７２０に表されている様々なメルターユニット７０２から選択することができる。さらに又は代替的に、要素７１８によって示されているメルターユニット７０２は、要素７１８に関連するドロップダウンメニューを介して選択することができる。運転モード要素７１９が、生産、セットアップ又は保守等、選択されたメルターユニット７０２の運転モードを示す。選択されたメルターユニット７０２の運転モードは、運転モード要素７１９を介して制御することができる。システム状態要素７２１が、システム７００の状態を示し、この状態はまた、システム状態要素７２１を介して制御することもできる。ゾーン要素７２８が、ユーザーインターフェース７０４を表示している制御デバイス７１０が位置するゾーンを示す。示されているゾーンは、その特定の制御デバイス７１０を介してシステム７００の様々な制御のうちのいずれを設定又は調整することができるかを決定することができる。ゾーンに関する機能性については、図１８並びに図１９Ａ及び図１９Ｂに関して更に考察する。ナビゲーション領域７３２に関して、現データ及び時間が提示される。ナビゲーション領域７３２は、様々なユーザー機能を開始するようにアクティベートすることができるインターフェース要素７３８を更に含む。例えば、ユーザーは、システムにログインし、ユーザーインターフェース構成に関するユーザーの嗜好設定をロードするために、ユーザーのＩＤ及びパスワードを入力することができる。
【００８６】
ダッシュボード領域７３１は、１つ以上のタイルを表示するように構成されている。タイルは、システム７００、選択されたメルターユニット７０２、及び／又は選択されたメルターユニット７０２の様々なサブシステム又は機能の状態／動作パラメーターに関する様々な情報を表示することができる。タイルは、さらに又は代替的に、様々な動作パラメーター又は設定値が設定又は調整されるのを可能にすることができる。いくつかのタイルは、複数のサブタイルがあるように構成することができる。いくつかのタイル（サブタイルを含む）は、通常、初期タイルに関する追加の設定又は制御に対する更なる情報又はアクセスを可能にする、他のタイル又はウィンドウを開くように構成することができる。ユーザー嗜好設定を介して、ユーザーは、ユーザーインターフェース７０４及び／又は制御デバイス７１０にログインしたときに適用される、ダッシュボード領域７３１の様々な属性を、カスタマイズすることができる。例えば、ユーザー嗜好設定は、ダッシュボード領域７３１にいずれのタイルが最初に表示されるかを定義することができる。ユーザー嗜好設定は、ダッシュボード領域７３１内のタイルの初期配置及び／又はタイルの相対的なサイズを更に定義することができる。ユーザー嗜好設定は、特定のタイル又はタイル要素がアクティベート又はインタラクトされる（例えば、クリック又は押下される）ときに何の行為又は機能が実施されるかを更に定義することができる。ユーザーは、さらに又は代替的に、ユーザーインターフェース７０４が表示されている間、タイルを閉じる、タイルを移動する（例えば、ドラッグアンドドロップ）、又はタイルを最小化する等、タイルの配置又は外観を変更することができる。タイルはまた、全体として又は一部、別のタイルの上に重ねて位置決めすることもできる。
【００８７】
概して、タイルは、１つ以上のタイルタイプの階層として編成することができ、各階層は、メルターユニット７０２及び／又はシステム７００の特定の機能性又はサブシステム（すなわち、機能的態様）に関連する。例として、タイルタイプの階層は、温度／ヒーター、ポンプ、充填レベル、吐出パターン、接着剤圧力及びニードルストロークのうちの１つに関連することができる。概して、階層内のタイル又はその一部（例えば、サブタイル、要素又はボタン）のアクティベーションにより、階層内の異なるタイプの別のタイルが開くことになる。さらに、階層内の所与のタイプレベルのタイル又はその一部（例えば、サブタイル、要素又はボタン）のアクティベーションにより、その階層内のより高いタイプレベルの別のタイルが開くことになる。例えば、タイプ１温度タイルのアクティベーションにより、通常、タイプ２温度タイルを開くことができる。初期タイルが複数のサブタイル又は要素を含む場合、後続するタイルは、その初期タイルにおいてアクティベートされた特定のサブタイル又は要素に関連することができる。例えば、タイプ２温度タイルにおけるヒーターサブタイルのアクティベーションにより、アクティベートされたヒーターサブタイルに対応するヒーターに関する情報及び／又は動作パラメーターを表示するタイプ３温度タイルを開くことができる。初期タイルは、ダッシュボード領域７３１において後続するタイルに置き換えることができ、又は、後続するタイルは、ダッシュボード領域７３１において初期タイルの少なくとも一部の上に重なることができる。しかしながら、高い方のタイプレベルタイルの表示は、必ずしも、低い方のタイプレベルタイルのアクティベーション又は更には表示にも依存しないことに留意されたい。例えば、表示されるタイルは、ユーザー嗜好設定、メルターユニット表示設定又は全体的な表示設定によって決定することができる。表示されるタイルは、さらに、ユーザーインターフェース７０４との他のユーザーインタラクションに基づいて決定することができる。タイルタイプ及びそれらの構成タイルの様々な階層については、図１０Ａ〜図１７Ｃに関して更に考察する。
【００８８】
特に図９Ａに示すように、ダッシュボード領域７３１は、それぞれがシステム７００のメルターユニット７０２を表す、（それ自体タイルとみなすことができる）１つ以上のメルターユニット要素７３３を提示するＭａｃｈｉｎｅＶｉｅｗタイル７２０があるように構成することができる。さらに又は代替的に、ＭａｃｈｉｎｅＶｉｅｗタイル７２０は、それぞれがシステム７００の構成要素（例えば、メルターユニット７０２以外のシステム７００の構成要素）を表す、メルターユニット要素７３３に類似する、１つ以上の要素を含むことができる。本明細書におけるメルターユニット要素７３３に関する考察は、メルターユニット７０２以外の構成要素を表すＭａｃｈｉｎｅＶｉｅｗ要素に等しく適用可能である。図示を明確にするために、ＭａｃｈｉｎｅＶｉｅｗタイル７２０に示す全てのメルターユニット要素７３３にはラベルは付されていない。
【００８９】
図４のユーザーインターフェース４００に関して上述したように、ユーザーインターフェース４００の態様は、ＭａｃｈｉｎｅＶｉｅｗタイル７２０に適用することができる。したがって、ＭａｃｈｉｎｅＶｉｅｗタイル７２０は、いくつかの態様では、ユーザーインターフェース４００と同じか又は同様であり得る。例えば、メルターユニット要素７３３は、いくつかの態様では、ユーザーインターフェース４００のシステム要素４０４と同じか又は同様であり得る。別の例として、ＭａｃｈｉｎｅＶｉｅｗタイル７２０は、ユーザーインターフェース４００の生産ライン要素４０２を含むことができ、複数のメルターユニット要素７３３は、生産ライン要素４０２に対応する生産ラインに対する対応するメルターユニット７０２又は他の構成要素の実際の位置を反映するように、ＭａｃｈｉｎｅＶｉｅｗタイル７２０に位置決めすることができる。
【００９０】
各メルターユニット要素７３３は、関連するメルターユニット７０２の名称、関連するメルターユニット７０２の位置（例えば、生産ラインに対する位置）、及び関連するメルターユニット７０２の運転モード（例えば、生産、保守又はセットアップ）を示す。メルターユニット要素７３３における運転モードを示す要素は、運転モードを更に示すように色分けすることができる。各メルターユニット要素７３３は、さらに、接着剤充填レベル等、関連するメルターユニット７０２の動作パラメーターの状態を視覚的に示すことができる。各メルターユニット要素７３３の右端の垂直バーは、動作パラメーターの状態を視覚的に示すように色分けすることができる。
【００９１】
メルターユニット７０２は、ＭａｃｈｉｎｅＶｉｅｗタイル７２０における関連するメルターユニット要素７３３の選択を介して及び／又は要素７１８を介して選択することができる。こうした選択時、選択されたメルターユニット７０２に関連する１つ以上のタイルを表示することができる。タイルは、ユーザー嗜好設定、選択されたメルターユニット７０２に関連するデフォルト設定、及び／又は全体的なデフォルト設定に従って提示することができる。ある場合はいずれのメルターユニット７０２が選択されるかに関わらず、１つ以上のタイルを事前に配置するか又は持続させることができる。
【００９２】
図９Ａを続けて参照すると、「表面定着左（Front Fixation left）」メルターユニットが選択されている。これにより、ダッシュボード領域７３１に充填レベル監視タイル７３４及びポンプ監視タイル７３５を表示することができる。「表面定着左」メルターユニットの選択に応答して、パターン制御タイル７３６及び／又はニードルストローク制御タイル７３７を表示することができ、又は、パターン制御タイル７３６及び／ニードルストローク制御タイル７３７は、ダッシュボード領域７３１に既に表示されている場合もある。パターン制御タイル７３６及びニードルストローク制御タイル７３７は、それぞれ、吐出パターン階層及びニードルストローク階層のタイプ１タイルである。充填レベル監視タイル７３４は、充填レベルタイル階層のタイプ３タイルであり、ポンプ監視タイル７３５は、ポンプタイル階層のレベル２タイルである。ダッシュボード領域７３１において、レベル２温度監視タイル７４０が、他のタイル及び要素の後方に部分的に示されている。
【００９３】
充填レベル監視タイル７３４は、「表面定着左」メルターユニットに関連する接着剤リザーバーの現充填レベルパーセンテージ（７２％）を視覚的に且つ数値的に示す。充填レベル監視タイル７３４は、自動充填機能がアクティベートされる充填レベルパラメーター（１０％）、自動充填機能がディアクティベートされる充填レベルパラメーター（８０％）、及び警報が生成される充填レベルパラメーター（５％）を更に示す。ユーザーは、対応するテキストフィールドを編集することにより、充填レベル監視タイル７３４に示されているパラメーターを直接設定又は調整することができる。
【００９４】
ポンプ監視タイル７３５は、それぞれが選択された「表面定着左」メルターユニット７０２のポンプに対応する、１つ以上のポンプサブタイル７３９を含む。図示を明確にするために、全てのポンプサブタイル７３９にラベル付けされてはいない。各ポンプサブタイル７３９は、対応するポンプの名称、ポンプの現速度（ｒｐｍ）、ポンプに対する速度設定値、及びポンプに関連する圧力測定値（複数の場合もある）のうちの１つ以上を示す。各ポンプサブタイル７３９内の色分けされた円形要素は、対応するポンプの状態を示すことができる。各ポンプサブタイル７３９の上部分内の手アイコン又は代替的に大文字の「Ａ」は、ポンプがそれぞれ手動モード又は自動モードに設定されていることを示すことができる。サブタイル７３９は、さらに又は代替的に、ポンプモーターを表すことができ、それらのうちのいくつかは、同じポンプに対するポンプモーターであり得る。
【００９５】
パターン制御タイル７３６は、アクティベートされると、吐出パターン選択機能を開始することができる。特に、パターン制御タイル７３６のアクティベーションにより、タイプ２パターンタイルを表示することができ、その中で、吐出パターンを選択することができる。吐出パターンは、選択された「表面定着左」メルターユニット７０２に関連する１つ以上のアプリケーターによって、接着剤又は他の液体を吐出するために使用することができる。いくつかの態様では、パターン制御タイル７３６を介して選択された吐出パターンは、システム７００の２つ以上のメルターユニット７０２に関連するアプリケーターによって使用することができる。ニードルストローク制御タイル７３７は、アクティベートされると、様々なチャネルからニードルストローク状態を表示すること並びにニードルストローク制御及び検出パラメーターを設定すること等、ニードルストローク制御及び検出機能を開始することができる。
【００９６】
図９Ｂを参照すると、ユーザーインターフェース７０４は、図９Ａに示すものと多くの点で同様である。しかしながら、図９Ｂのユーザーインターフェース７０４における顕著な相違は、ＭａｃｈｉｎｅＶｉｅｗタイルがないことと、（図９Ａにおける温度監視タイル７４０の隠された部分的な表示とは対照的に）完全な温度監視タイル７４０の表示とを含む。さらに、充填レベル監視タイル７３４、パターン制御タイル７３６及びポンプ監視タイル７３５は、図９Ａとは異なるように位置決めされている。これは、図９Ａのユーザーインターフェース７０４と図９Ｂのユーザーインターフェース７０４と間で異なるユーザー嗜好設定が実施されているためであり得る。
【００９７】
上述したように、ダッシュボード領域７３１は、概して、選択された「表面定着左」メルターユニット７０２のヒーター、又は（関連するアプリケーター、ホース及び他の構成要素を含む）「表面定着左」メルターユニット７０２内の他の箇所の温度を示す、温度監視タイル７４０を含む。こうした温度点（例えば、温度チャネル）は、それぞれ、温度監視タイル７４０内の温度サブタイル７４１のうちの１つに対応する。温度が測定される特定の構成要素又は場所、構成要素の状態及び／又は様々な表示設定に応じて、温度サブタイル７４１は、ヒーター温度設定値、現測定温度、及びヒーター又は他の構成要素の名称のうちの１つ以上を示すことができる。
【００９８】
図１０Ａ〜図１７Ｃは、タイル例又は他のユーザーインターフェース要素を示す。図１０Ａ〜図１７Ｃは、概して、特定の図に示されているタイル（複数の場合もある）に関連するメルターユニットサブシステム又は機能性に従って編成される。既に上述したように、タイル及び他のユーザーインターフェース要素は、ユーザーインターフェースタイプの階層に一般化することができる。タイプ１タイルは、概して、階層に関連するサブシステム又は機能性（例えば、温度、充填レベル等）を示すことができる。タイプ１タイルはまた、いくつかの場合では、１つ以上の基本測定値及び／又は動作パラメーターも示すことができる。タイプ１タイルがアクティベートされると、タイプ２タイルを表示することができる。タイプ２タイルは、複数のサブタイル表示を含むことができ、各サブタイルは、様々な測定データ及び動作パラメーターを示す。しかしながら、タイプ２タイルは、必ずしもそのように限定されない。タイプ２タイル内のサブタイルのアクティベーションにより、更なるウィンドウ又はダイアログボックス（例えば、二次サブタイル）を開くことができ、それを介して、ユーザーは、関連するサブシステム又は構成要素の様々な動作パラメーターを設定又は調整することができる。タイプ３タイルは、さらに、ユーザーが様々なパラメーター（例えば、パラメーターリスト）を設定又は調整するのを可能にすることができる。
【００９９】
図１０Ａ〜図１０Ｃは、選択されたメルターユニット７０２の接着剤充填レベルに関する。図１０Ａは、タイプ１タイル８０２を示す。タイル８０２のアクティベーションにより、接着剤充填レベルに関連する設定、動作パラメーター、状態又は測定値に対するアクセスを容易にすることができる。タイル８０２は、さらに、メルターユニット７０２の充填レベルをパーセンテージとして示すことができる。図１０Ｂは、タイプ２タイル８０４を示す。タイル８０４は、現測定充填レベル（０％）と、メルターユニット７０２の自動充填機能をアクティベート又はディアクティベートする対話型スライド要素と、自動充填機能が開始すべき充填パーセンテージを設定する編集可能テキストフィールドと、自動充填機能が停止すべき充填パーセンテージを設定する編集可能テキストフィールドとを示す。タイル８０４は、タイプ１タイル８０２のアクティベーションに応答して表示することができる。図１０Ｃはタイプ３タイル８０６を示す。タイル８０６はまた、自動充填開始パーセンテージ及び停止パーセンテージも示す。タイル８０６の視覚的要素は、充填レベルと自動充填開始及び停止充填レベルを視覚的に示すとともに、充填レベルの数値指示を提供する。タイル８０６は、さらに、警報が生成される充填レベルパーセンテージを示す。開始パーセンテージ、停止パーセンテージ及び警報パーセンテージのためのテキストフィールドは、編集可能であり得る。タイル８０６の表示は、タイプ２タイル８０４及び／又はタイプ１タイル８０２の要素のアクティベーションに応答することができる。タイプ１タイル８０２のアクティベーションに応答してタイル８０４又はタイル８０６が表示されるか否かは、ユーザー嗜好設定及び／又はユーザー／ゾーン許可に基づくことができる。
【０１００】
図１１Ａ〜図１１Ｅは、選択されたメルターユニット７０２のヒーターの温度と、メルターユニット７０２内の様々な他の箇所（並びに関連するアプリケーター及びホース）における温度とを含む、温度に関連する。図１１Ａは、タイプ１タイル８１０を示す。タイル８１０のアクティベーションにより、温度に関連する設定、温度パラメーター、状態又は測定値に対するアクセスを容易にすることができる。
【０１０１】
図１１Ｂは、複数の温度サブタイルを含むタイプ２タイル８１２を示す。タイル８１２は、タイル８１０のアクティベーションに応答して表示することができる。温度サブタイルは、それぞれ、メルターユニット７０２のヒーター、又はメルターユニット７０２又は関連する構成要素（例えば、アプリケーター及びホース）内の温度測定点に対応することができる。ヒーター又は温度測定点は、温度チャネルと異なるように称することができる。温度サブタイルは、ヒーター温度設定値（例えば、１３４℃）と、測定された実際の温度（例えば、１３４℃又は６７℃）と、ヒーター又は他の構成要素の名称とを示すことができる。温度サブタイルは、測定された実際の温度を包囲する色分けされた円形インジケーターを更に含むことができる。円形インジケーターの色は、温度設定値に関連する現測定温度を反映することができる。例えば、円形インジケーターの色は、現測定温度が温度設定値であること、関連するヒーターの温度が温度設定値まで能動的に上昇していること、現測定温度がわずかに温度設定値を下回るか又は上回ること（警報）、又は現測定温度が著しく温度設定値を下回るか又は上回ること（障害）を示すことができる。色付きインジケーターの色付き部分の円形の進行は、温度設定値に対する測定された実際の温度の関係を反映することができる。警報又は障害温度状態の場合に、温度サブタイルの上に更なるアイコンを表示することができる。
【０１０２】
温度サブタイルの視覚的外観、表示された情報及び／又は機能性は、関連するヒーター又は他の構成要素の状態、温度サブタイルのモード（例えば、表示モード又は制御モード）、及び／又はアクティブユーザーに対するユーザー／ゾーン許可によって決めることができる。例えば、タイル８１２の最右上の温度サブタイルに関連するヒーター又は他の構成要素はオフにされ、したがって、測定された実際の温度は表示されていない。別の例として、タイル８１２の左下隅の温度サブタイル及び／又はその関連するヒーター又は他の構成要素は、表示モードに設定されている。表示モードでは、温度サブタイルがアクティベートされるとき、測定された実際の温度（すなわち、２８℃）及び名称のみが表示され、ウィンドウ８１４のダイアログボックスは表示されない。表示モードは、「読出しのみ」モードになぞらえることができる。温度サブタイル及び／又はその関連するヒーター又は他の構成要素は、ユーザー許可及び／又はゾーンに基づいて表示モードに設定することができる。逆に、温度サブタイル及び／又はその関連するヒーター又は他の構成要素は、制御モードに設定することができ、制御モードでは、温度サブタイル上に完全な情報が表示され、温度サブタイルがアクティベートされると、様々なパラメーターを編集することができるようにウィンドウ８１４が表示される。一例として、タイル８１２の左上の温度サブタイル（１３４℃を示す）は制御モードにある。
【０１０３】
図１１Ｂは、タイル８１２の温度サブタイルのうちの１つのアクティベーションに応答して表示されるダイアログボックス又はウィンドウ８１４を更に示す。ウィンドウ８１４は、タイル８１２の二次タイプ２タイルとみなすことができる。ウィンドウ８１４は、タイル８１２の一部とみなすことができる。ウィンドウ８１４は、対応するヒーターをアクティベートする又はオンにする対話型スライド要素を含む。ウィンドウ８１４は、温度設定値及び名称に対する編集可能テキストフィールドを含む。ウィンドウ８１４はまた、測定された実際の温度も示す。ウィンドウ８１４は、タイル８１２に表示される際のアクティベートされた温度サブタイルの視覚化を更に含む。ウィンドウ８１４は、ウィンドウ８１４を閉じる「閉じる（CLOSE）」ボタンを含む。ウィンドウ８１４は、矢印要素を更に含む。矢印要素のアクティベーションにより、パラメーターリストが表示される。矢印要素のアクティベーションにより、図１１Ｃのタイル８１６、図１１Ｄのタイル８１８及び／又は図１１Ｅのタイル８２０を表示することができる。矢印要素のアクティベーションに応答して表示されるタイル（複数の場合もある）は、ユーザー嗜好設定によって決めることができる。
【０１０４】
図１１Ｃは、タイプ３タイル８１６を示す。タイル８１６は、パラメーターリストを含むことができる。一連の温度エントリー（例えば、温度１、温度２等）のそれぞれに対して、温度設定値のための編集可能テキストフィールドと非編集可能温度値とが提示される。非編集可能温度値は、現温度設定値、又は代替的に測定された実際の温度を示すことができる。各温度エントリーは、タイル８１２におけるサブタイルとして表される温度チャネル（例えば、ヒーター又は温度測定点）と一致することができる。したがって、ユーザーは、メルターユニットに対する複数の温度設定値を一度で設定又は調整することができる。
【０１０５】
図１１Ｄは、タイル８１８を示す。タイル８１８は、タイプ４タイルとすることができ、又は代替的に、タイプ３タイルとすることができる。タイル８１８は、ヒーター等の温度チャネルに関することができる。タイル８１８は「温度１」に関連し、それは、タイル８１６で参照したものと同じ「温度１」であり得る。タイル８１８は、運転停止温度、障害温度上昇（fault over-temperature）、警報温度上昇（warning over-temperature）、セットバック温度、警報温度低下（warning under-temperature）及び障害温度低下（fault under-temperature）を示す。図１１Ｄに示すように、示されている温度値のそれぞれは編集可能ではない。代替的に、温度値のうちの１つ以上は編集可能であり得る。温度値が編集可能であるか否かは、ユーザー許可及び／又はゾーン許可によって決めることができる。
【０１０６】
図１１Ｅは、タイル８２０を示す。タイル８２０はタイプ５タイルとすることができ、又は代替的に、タイル８２０はタイプ３タイルとみなすことができる。タイル８２０は、（１、２等で示す）対応するヒーターの動作状態を設定するように構成された複数の対話型スライド要素を含む。スライド要素を用いて、ヒーターの動作状態を「オン」又は「セットバック」として設定することができる。選択された動作状態はまた、各ヒーターに対しても示される。
【０１０７】
図１２Ａ〜図１２Ｃは、選択されたメルターユニット７０２のポンプ動作に関する。図１２Ａはタイプ１タイル８２２を示す。タイル８２２のアクティベーションにより、ポンプ動作に関連する設定、動作パラメーター、状態又は測定値に対するアクセスを容易にすることができる。
【０１０８】
図１２Ｂは、タイプ２タイル８２４を示す。タイル８２４は、タイル８２２のアクティベーションに応答して表示することができる。タイル８２４は、複数のポンプサブタイルを含む。各ポンプサブタイルは、設定値（例えば、モーターｒｐｍ）と、実際の値（例えば、モーターＲＰＭ又は設定値のパーセンテージ）と、関連するポンプの名称とを示すことができる。各ポンプサブタイルの上部分は、関連するポンプの状態を示す色分けされた円形要素を含む。各ポンプサブタイルの上部分は、ポンプがそれぞれ手動モードで動作しているか又は自動モードで動作しているかを示す、手アイコン又は大文字「Ａ」のいずれかを更に含む。さらに又は代替的に、タイル８２４のサブタイルはポンプモーターに対応することができ、ポンプモーターのうちのいくつかは、同じポンプに対するポンプモーターであり得る。
【０１０９】
図１２Ｂは、タイル８２４のポンプサブタイルのうちの１つのアクティベーションに応答して表示されるダイアログボックス又はウィンドウ８２６を更に示す。ウィンドウ８２６は、タイル８２４の二次タイプ２タイルとみなすことができる。ウィンドウ８２６は、タイル８１２の一部とみなすことができる。ウィンドウ８２６は、関連するポンプをオン又はオフにする対話型スライド要素を含む。ウィンドウ８２６は、対になった手アイコン要素と大文字「Ａ」要素とを含む。手アイコン要素又は大文字「Ａ」要素のいずれかの選択により、それぞれ、ポンプは手動モード又は自動モードで動作するように設定される。ウィンドウ８２６は、設定値及び名称を入力する編集可能テキストフィールドを含む。ウィンドウ８２６は、ポンプ動作に関連する実際の値（「８９％」）を示す。ウィンドウ８２６は、測定された圧力値（「センサーＡ：３バール（Sensor A:3 bar）」及び「圧力センサーＢ：７バール（Pressure Sensor B:7 bar）」）を更に示す。ウィンドウ８２６は、タイル８２４に表示される際のアクティベートされたポンプサブタイルの視覚化を含む。ウィンドウ８２６は、ウィンドウ８２６を閉じる「閉じる」ボタンを含む。ウィンドウ８２６は、矢印要素を含む。この矢印要素のアクティベーションにより、メルターユニット７０２のポンプに関連するパラメーターリストを表示することができる。矢印要素のアクティベーションにより、さらに又は代替的に、図１２Ｃのタイル８２８及び／又はタイル８３０を表示することができる。
【０１１０】
図１２Ｃは、タイル８２８及びタイル８３０を示す。タイル８２８及びタイル８３０のうちの一方又は両方をタイプ３タイルとみなすことができる。タイル８２８は、複数のポンプサブタイルを含む。タイル８２８の各ポンプサブタイルは、関連するポンプの名称と、関連するポンプのその状態を示す色分けされた要素とを含む。タイル８３０は、ポンプ名称とスライド可能な色分けされた要素との複数の対を含む。スライド可能な要素とインタラクトして、関連するポンプをオン又はオフにすることができる。スライド可能な要素の色は、モーターオフ、モーター使用可能又はモーター稼働中等、関連するポンプの状態を示すことができる。タイル８３０は、タイル８２８のアクティベーション及び／又はタイル８２８のポンプサブタイルのアクティベーションに応答して表示することができる。
【０１１１】
図１３Ａ〜図１３Ｃは、選択されたメルターユニット７０２に関連するパターン制御に関する。例えば、メルターユニット７０２から溶融した接着剤を受け取るアプリケーターは、選択されたパターンに従って溶融した接着剤を吐出することができる。図１３Ａは、タイプ１タイル８３２を示す。タイル８３２のアクティベーションにより、パターン制御に関連する設定、動作パラメーター、状態又は測定値に対するアクセスを容易にすることができる。タイル８３２は、選択された吐出パターンを示すアイコンを含むことができる。
【０１１２】
図１３Ｂは、タイプ２タイル８３４を示す。タイル８３４は、タイル８３２のアクティベーションに応答して表示することができる。タイル８３４は、それぞれ吐出パターンに対応する、複数の選択可能なパターンサブタイルを含む。パターンサブタイルのうちの１つの選択により、メルターユニットに関連するアプリケーターを、選択されたパターンサブタイルに対応する吐出パターンに従って溶融した接着剤を吐出するように設定することができる。パターンサブタイルのアクティベーションにより、さらに又は代替的に、図１３Ｃのタイル８３６を表示することができる。
【０１１３】
図１３Ｃはタイル８３６を示す。タイル８３６は、タイプ３タイルとみなすことができる。タイル８３６は、タイル８３４のパターンサブタイルのアクティベーションに応答して表示することができる。タイル８３６は、左上隅に、アクティベートされたパターンサブタイルの吐出パターンを示すアイコンを含む。右上隅には、タイル８３６を表示するようにアクティベートされるものとは異なる吐出パターンを選択するために、複数の要素が提示される。タイル８３６は、開放時間、閉鎖時間、オフセット、遅延及び持続時間のための編集可能テキストフィールドを含む。タイル８３６は、タイル８３６を閉じる「閉じる」ボタンを含む。タイル８３６は矢印要素を含む。矢印要素のアクティベーションにより、パターン制御に関連するパラメーターリストを表示することができる。
【０１１４】
図１４Ａ及び図１４Ｂは圧力監視に関する。図１４Ａはタイプ１タイル８３８を示す。タイル８３８のアクティベーションにより、圧力監視に関連する設定、動作パラメーター、状態又は測定値に対するアクセスを容易にすることができる。図１４Ｂは、複数の圧力サブタイルを含むタイプ２タイル８４０を示す。各圧力サブタイルは、測定された実際の圧力（例えば、２０バール、１５４バール又は１４１バール）と圧力サブタイルに関連する名称とを示す。事前設定された圧力閾値を超えた場合、圧力サブタイル上に障害又は警報アイコンを表示することができる。
【０１１５】
図１４Ｃ及び図１４Ｄは、概してニードルストローク検出システム及び／又はニードルストロークに関する。ニードルストロークは、アプリケーターから（例えば、吐出モジュールから）液体の液滴を吐出させるように作動する（例えば、塗布の吐出モジュール内の）アプリケーターのニードル又はピンを指す。図１４Ｃはタイプ１タイル８４２を示す。タイル８４２のアクティベーションにより、概してニードルストローク検出システム及び／又はニードルストロークに関連する設定、動作パラメーター、状態又は測定値に対するアクセスを容易にすることができる。タイル８４２は、ニードルストロークに関する状態又はパラメーターを示すアイコンを含むことができる。図１４Ｄは、複数のニードルストロークサブタイルを含むタイプ２タイル８４４を示す。タイル８４４は、タイル８４２のアクティベーションに応答して表示することができる。各ニードルストロークサブタイルは、アプリケーター、又はアプリケーターの個々の吐出モジュールに関連することができる。ニードルストロークサブタイルのアクティベーションにより、ダイアログボックス又はウィンドウ８４６を表示することができる。ウィンドウ８４６は、タイル８４４の二次タイルとみなすことができる。ウィンドウ８４６は、開放時間及び閉鎖時間のためのテキストフィールドを含む。このテキストフィールドは編集可能であり得る。ウィンドウ８４６は、ウィンドウ８４６を閉じる「閉じる」ボタンを含む。ウィンドウ８４６は矢印要素を含む。矢印要素のアクティベーションにより、ニードルストローク又はニードルストローク検出システムに関連するパラメーターリストを表示することができる。
【０１１６】
図１５Ａ及び図１５Ｂは、メルターユニットメンテナンスに関する。図１５Ａはタイル８５０を示す。タイル８５０はタイプ１タイルであり得る。タイル８５０のアクティベーションにより、メルターユニットメンテナンスに関連する設定、動作パラメーター、状態又は測定値に対するアクセスを容易にすることができる。図１５Ｂはタイル８５２を示す。タイル８５２は、タイプ２タイルとすることができ、タイル８５０のアクティベーションに応答して表示することができる。タイル８５２は、保守照明時間（「５００時間」）と次のメンテナンスまでの加熱時間（「５００時間」）とに対するテキストフィールドを含む。テキストフィールドは編集可能であり得る。タイル８５２は、メンテナンス保守照明時間及び／又は次のメンテナンスまでの加熱時間をリセットする対話型要素を更に含む。
【０１１７】
図１５Ｃは、接着剤炭化又は他の劣化を低減させるようにメルターユニットに供給される不活性ガスに関するタイル８５４を示す。タイル８５４は、オン／オフサイクル時間を示すグラフを含む。タイル８５４は、「ガスオフ持続時間」及び「ガスオン持続時間」のためのテキストフィールドを更に含む。このテキストフィールドは編集可能であり得る。タイル８５４は、「ガスオン有効」のための対話型要素を更に含む。
【０１１８】
図１６Ａは、ポンプ動作に関するタイプ２タイル８５６を示す。タイル８５６は、図１２Ｂのタイル８２４及びウィンドウ８２６に対する代替実施形態であり得る。タイル８２４の場合のようにウィンドウ８２６を開くのではなく、タイル８５６は、ウィンドウ８２６の特徴の多くを含む下部セクションを含む。例えば、タイル８５６の下部セクションは、手動モード及び自動モードを選択するための手アイコン要素及び大文字「Ａ」要素を含む。タイル８５６の下部セクションは、関連するポンプの状態を示すアイコンを含む。タイル８５６の下部セクションは、ポンプ動作に関連する実際の値（「０ｒｐｍ」）を示す。ウィンドウ８２６は、測定された圧力値（「センサーＡ：０バール」及び「圧力センサーＢ：０バール」）を更に示す。下部セクションは、ポンプが、タイル８５６の上部セクションで選択されると表示することができ、上部セクションでポンプが選択されないときは隠すことができる。下部セクションはまた、ユーザーが選択的に隠すこともできる。
【０１１９】
図１６Ｂは、温度に関するタイプ２タイル８５８を示す。タイル８５８は、図１１Ｂのタイル８１２及びウィンドウ８１４に対する代替実施形態であり得る。タイル８１２の場合のようにウィンドウ８１４を開くのではなく、タイル８５８は、ウィンドウ８２６の特徴の多くを含む下部セクションを含む。例えば、タイル８５８の下部セクションは、関連する温度チャネル（例えば、ヒーター）の温度設定値、測定された実際の温度及び名称を示す。下部セクションは、関連するヒーターをアクティベート又はディアクティベートするための対話型スライド要素を含む。下部セクションは、タイル８５８の上部セクションで温度チャネルが選択されると表示することができ、上部セクションで温度チャネルが選択されないときは隠すことができる。下部セクションは、ユーザーが選択的に隠すこともできる。
【０１２０】
図１７Ａは、ユーザーインターフェース７０４の状態領域７３０における「メニュー（Menu）」要素のアクティベーションに応答して選択的に表示されるメニュー８６０を示す。メニュー８６０は、ユーザーが視認し及び／又は変更することができる追加の情報に対するアクセスを可能にする。情報としては、限定されないが、システム７００に（又は、個々のメルターユニット７０２に）アクセスすることができる個々のユーザーの選択、システム７００の状態、メルターユニット７０２のパラメーター、事前設定された制御プログラム又は製法、装置設定、システム及び／又は装置診断、及び制御デバイス７１０からアクセスするのに望ましい可能性がある他のオプションを挙げることができる。図１７Ｂ及び図１７Ｃを参照すると、メニュー８６０は設定部分８６２を含むことができ、これを介して、ユーザーインターフェース７０４及び／又はシステム７００の様々な態様を設定又は調整することができる。例えば、設定部分８６２は、メルター構成設定、システム構成要素設定、及びクライアントゾーン定義設定に対するアクセスを可能にすることができる。メニュー８６０は、プロトコル、統計値及びサポートに関する診断機能に対するアクセスを可能にする診断部分８６４を更に含む。
【０１２１】
システム７００は、セキュリティ及び安全性を向上させる地理的制御を更に含むことができる。システム７００に関して考察する地理的制御は、図２のシステム２００及び図３のシステム３００に等しく適用可能である。ユーザーが、単独リモート制御デバイス７１０を用いて、システム７００のパラメーターを監視及び／又は変更することができる。いくつかの態様では、本明細書を通して記載するように、制御デバイス７１０の機能性の一部又は全てにユーザーがアクセスするのを阻止することが望ましい場合がある。ユーザーは、システム７００に物理的に近接しているとき、システムの状態を監視し、表示された情報に関して情報を得た上での判断を行うことができる。しかしながら、ユーザーは、リモートである（例えば、システム７００から遠く離れているか、システム７００又はシステム７００を構成するメルターユニット７０２のうちの１つ以上が直接見えない）場合、１つ以上のメルターユニット７０２の状態を完全に把握することができない可能性がある。したがって、ユーザーがシステム７００の或る特定のパラメーターを変更するのを妨げることが有利である場合がある。
【０１２２】
図１８を参照すると、地理的位置決め機能（例えば、ジオフェンシング（geofencing））を利用して、ユーザーが、システム７００、又はシステム７００内の個々のメルターユニット７０２のうちの任意のものの能力のうちの一部又は全てにアクセスすることができる許容ゾーン９１２と、ユーザーが、システム７００のパラメーターのうちの一部又は全てをアクセス及び／又は変更するのが妨げられる非許容ゾーン９１４とを確立することができる。
【０１２３】
システム７００に、例えば、メルターユニット７０２のうちの１つ以上に、地理的ビーコン９１０を配置することができる。ビーコン９１０は、例えば、図８に示すメルターユニット７０２の無線インターフェース７４８によって実現することができる。しかしながら、複数のビーコン９１０を用いることができることと、システム７００内の別の場所に又はシステム７００に隣接してビーコン９１０を配置することができることが理解されよう。
【０１２４】
ビーコン９１０は、無線信号を送受信するように構成されたＷＬＡＮアクセスポイントであり得る。ビーコン９１０は、ケーブルを介して制御デバイス７１０に物理的に接続することができる。１つ以上のモバイルデバイスが、ＷＬＡＮ及び／又はＢｌｕｅｔｏｏｔｈ（ブルートゥース）（登録商標）を介してＷＬＡＮアクセスポイントとの間で信号を送受信することにより、そのビーコン９１０と通信することができる。
【０１２５】
許容ゾーン９１２は、ビーコン９１０から所定の半径距離９１６によって画定することができる。制御デバイス７１０が許容ゾーン９１２内にある場合、ユーザーは、許容されるパラメーターのセットを視認及び／又は変更するためにアクセスすることができる。しかしながら、制御デバイス７１０が許容ゾーン９１２の外側にある場合、ユーザーが、許容されるパラメーターのセットの一部又は全てを視認及び／又は変更することを妨げることができる。
【０１２６】
制御デバイス７１０は、携帯電話、ノートパソコン及びタブレットを含むことができる。スマートウォッチ、携帯情報端末、デスクトップコンピューター、又は本明細書に記載した能力を有することができる別のデジタルデバイス等、他のデバイスが好適な制御デバイス７１０を含むことができることが理解されよう。
【０１２７】
いくつかの態様では、制御デバイス７１０が許容ゾーン９１２内にあるとき、ユーザーは、システム７００に関連する全てのパラメーター又は他の制御データを視認して変更することができ、制御デバイス７１０が許容ゾーン９１２の外側にあるとき、ユーザーは、パラメーター又は他の制御データを視認することのみはできるが、それらを変更することはできない。例えば、制御データの表示は、制御デバイス７１０が位置するゾーンに基づいて許可又は制限することができる。さらに又は代替的に、制御データの変更は、制御デバイスが位置するゾーンに基づいて許可又は制限することができる。許容ゾーン９１２内外で視認及び／又は変更することができる具体的なパラメーター又は他の制御データは、ユーザーの認証情報、ビーコン９１０からの距離、メルターユニット７０２の状態、又はシステム７００の他の事前設定されたパラメーターによって決めることができる。
【０１２８】
制御デバイス７１０が配置される特定のゾーンは、図９Ａ及び図９Ｂに示すユーザーインターフェース７０４におけるゾーン要素７２８によって示すことができる。図１９Ａ及び図１９Ｂは、それぞれ、いくつかのあり得るモードのうちの１つによるゾーン要素７２８を示す。図１９Ａにおいて、ゾーン要素７２８は、制御デバイス７１０が「システム（System）」モード下で動作していることを示す。システムモードは、制御デバイス７１０が許容ゾーン９１２内に位置していることを反映することができる。したがって、制御デバイス７１０を用いて、パラメーター及び設定の拡張セットを視認及び変更することができる。図１９Ｂにおいて、ゾーン要素７２８は、制御デバイス７１０が「世界（World）」モード下で動作していることを示す。世界モードは、制御デバイス７１０が許容ゾーン９１２の外側（例えば、非許容ゾーン９１４内）に位置していることを反映することができる。したがって、制御デバイス７１０を用いて、或る特定のパラメーターのみを視認し及び／又は限られた数のパラメーター又は設定のみを変更することができる。
【０１２９】
当業者であれば、本明細書に開示したシステム及び方法は、限定されないが、１つ以上のプロセッサと、システムメモリと、プロセッサを含む様々なシステム構成要素をシステムメモリに結合するシステムバスとを備えることができる計算装置を介して実装することができることが理解されよう。複数のプロセッサの場合、システムは並列計算を利用することができる。
【０１３０】
例示のために、本明細書では、オペレーティングシステム等のアプリケーションプログラム及び他の実行可能プログラム構成要素が、個々のブロックとして示されているが、そのようなプログラム及び構成要素は、計算装置の異なる記憶構成要素内に様々な時点で存在し、コンピューターのデータプロセッサ（複数の場合もある）によって実行されることが理解される。サービスソフトウェアの実施態様を、何らかの形態のコンピューター可読媒体に記憶し、又は何らかの形態のコンピューター可読媒体を介して送信することができる。開示した方法のうちの任意のものを、コンピューター可読媒体で具現化されるコンピューター可読命令によって実行することができる。コンピューター可読媒体は、コンピューターによってアクセスすることができる任意の利用可能な媒体とすることができる。例として、限定を意味しないが、コンピューター可読媒体は、「コンピューター記憶媒体」及び「通信媒体」を含むことができる。「コンピューター記憶媒体」は、コンピューター可読命令、データ構造、プログラムモジュール、又は他のデータ等の情報を記憶する任意の方法又は技術で実現される揮発性及び不揮発性の媒体、取外し可能及び取外し不能な媒体を含む。例示的なコンピューター記憶媒体には、限定はしないが、ＲＡＭ、ＲＯＭ、ＥＥＰＲＯＭ、フラッシュメモリ若しくは他のメモリ技術、ＣＤ−ＲＯＭ、デジタルバーサタイルディスク（ＤＶＤ）若しくは他の光学記憶装置、磁気カセット、磁気テープ、磁気ディスク記憶装置若しくは他の磁気記憶デバイス、又は、所望の情報を記憶するのに用いることができるとともに、コンピューターによってアクセスすることができる他の任意の媒体がある。アプリケーションプログラム等及び／又は記憶媒体を、少なくとも一部にはリモートシステムで実装することができる。
【０１３１】
本明細書及び添付の特許請求の範囲で用いる場合、数量を指定しない用語は、文脈において明確な別段の指示がない限り、複数の対象物を含む。本明細書において、「約」或る特定の値から及び／又は「約」別の特定の値までという範囲が示される場合がある。そのような範囲が示される場合、別の実施形態は、この或る特定の値から及び／又はこの別の特定の値を含む。同様に、頭に「約」が使用されることで値が近似値として示される場合、この特定の値は、別の実施形態を形成することが理解されよう。これらの範囲のそれぞれの端点は、他の端点と関連していても、他の端点と独立していても、有意であることが更に理解されよう。
【０１３２】
明示的に別段の定めのない限り、本明細書に示したいかなる方法も、そのステップが或る特定の順序で実施されることが必要であるように解釈されるようには決して意図されていない。したがって、方法請求項が、そのステップがたどるべき順序を実際に記載していないか、又は、特許請求の範囲若しくは明細書において、ステップが特定の順序に限定されるべきであるということが別段具体的に言及されていない場合、いかなる点でも、順序が推測されることは決して意図されていない。これは、ステップの又は動作フローの配置に関する論理上の事柄、文法上の構成又は句読法から導出される明白な意味、明細書に記載した実施形態の数又はタイプを含む、解釈に対する任意のあり得る非明示的な根拠に適用される。
【０１３３】
当業者であれば、範囲又は趣旨から逸脱することなく様々な変更形態及び変形形態を作成することができることが明らかとなろう。他の実施形態は、本明細書に開示する詳細及び実施を考慮することから当業者には明らかとなろう。詳細及び例は、単に例示的であるものとしてみなされるように意図されており、真の範囲及び趣旨は添付の特許請求の範囲によって示されている。
【図１】
2021527245.tif 000003
【図２】
2021527245.tif 000004
【図３】
2021527245.tif 000005
【図４】
2021527245.tif 000006
【図５】
2021527245.tif 000007
【図６】
2021527245.tif 000008
【図７】
2021527245.tif 000009
【図８】
2021527245.tif 000010
【図９Ａ】
2021527245.tif 000011
【図９Ｂ】
2021527245.tif 000012
【図１０Ａ】
2021527245.tif 000013
【図１０Ｂ】
2021527245.tif 000014
【図１０Ｃ】
2021527245.tif 000015
【図１１Ａ】
2021527245.tif 000016
【図１１Ｂ】
2021527245.tif 000017
【図１１Ｃ】
2021527245.tif 000018
【図１１Ｄ】
2021527245.tif 000019
【図１１Ｅ】
2021527245.tif 000020
【図１２Ａ】
2021527245.tif 000021
【図１２Ｂ】
2021527245.tif 000022
【図１２Ｃ】
2021527245.tif 000023
【図１３Ａ】
2021527245.tif 000024
【図１３Ｂ】
2021527245.tif 000025
【図１３Ｃ】
2021527245.tif 000026
【図１４Ａ】
2021527245.tif 000027
【図１４Ｂ】
2021527245.tif 000028
【図１４Ｃ】
2021527245.tif 000029
【図１４Ｄ】
2021527245.tif 000030
【図１５Ａ】
2021527245.tif 000031
【図１５Ｂ】
2021527245.tif 000032
【図１５Ｃ】
2021527245.tif 000033
【図１６Ａ】
2021527245.tif 000034
【図１６Ｂ】
2021527245.tif 000035
【図１７Ａ】
2021527245.tif 000036
【図１７Ｂ】
2021527245.tif 000037
【図１７Ｃ】
2021527245.tif 000038
【図１８】
2021527245.tif 000039
【図１９Ａ】
2021527245.tif 000040
【図１９Ｂ】
2021527245.tif 000041
【国際調査報告】
2021527245.tif 000042
2021527245.tif 000043
2021527245.tif 000044
2021527245.tif 000045
2021527245.tif 000046
2021527245.tif 000047